(57)【特許請求の範囲】
【請求項１】
複数の感知器／発信機及び複数の防災設備とＲ型／ＧＲ型受信機との間を光ケーブルを利用してデイジー・チェーン（ｄａｉｓｙ−ｃｈａｉｎ）連結する光信号中継装置であって、
デイジー・チェーン連結された、下流側の光信号中継装置から光学的に伝達された信号を電気的に変換した電気信号と、前記複数の感知器／発信機のうち対応する感知器／発信機で起因した警報信号とを電気的に結合し、前記電気的に結合された信号を光学的に変換した光信号を出力する上り信号経路と、
デイジー・チェーン連結された、上流側の光信号中継装置から光学的に伝達された信号を電気的に変換し、変換された電気信号を光学的に変換した光信号を出力する下り信号経路と、
前記対応する感知器／発信機から受信された前記警報信号を前記上り信号経路に提供し、前記下り信号経路で変換された前記電気信号を外部に出力する入出力ポートと
を含み、
前記上流側の光信号中継装置から光学的に伝達された信号は、前記防災設備への信号を含み、
前記上り信号経路が伝達する光信号は、最終的に前記Ｒ型／ＧＲ型受信機に伝達され、前記下り信号経路が伝達する光信号は前記Ｒ型／ＧＲ型受信機で起因したものであり、
前記上り信号経路は、
デイジー・チェーン連結された、下流側の光信号中継装置から光学的に伝達された信号を電気的に変換した電気信号を出力する第１光受信ポートと、
前記第１光受信ポートから出力された電気信号と前記対応する感知器／発信機で起因した警報信号とを電気的に結合した電気信号を出力する上り分岐と、
前記上り分岐から出力された電気信号を光学的に変換した光信号で出力する第１光送信ポートを含み、
前記上り分岐は、前記第１光受信ポートから出力された電気信号と前記対応する感知器／発信機で起因した警報信号を同時に受信する場合、一つのパケットにエンコードして出力するパケットエンコーダーであり、
前記下り信号経路は、
デイジー・チェーン連結された、上流側の光信号中継装置から光学的に伝達された信号を電気的に変換した電気信号を出力する第２光受信ポートと、
前記第２光受信ポートから出力された電気信号を前記入出力ポートと第２光送信ポートに提供する下り分岐と、
前記下り分岐から出力された電気信号を光学的に変換して出力する前記第２光送信ポートとを含み、
前記下り分岐は、前記第２光受信ポートから出力された電気信号のうち、前記複数の防災設備のうちの一つに伝達される制御信号を検出して前記入出力ポートに出力する検出回路を含み、
前記入出力ポートから受信された警報信号を前記上り信号経路に提供し、前記下り信号経路で変換された電気信号のうち制御信号を抽出して前記入出力ポートに送信する中継制御部をさらに含む、
ことを特徴とする光信号中継装置。
【請求項２】
前記第１光受信ポートと前記第２光送信ポートとは第１光送受信モジュールを構成し、前記第１光送信ポートと前記第２光受信ポートとは第２光送受信モジュールを構成することを特徴とする請求項１に記載の光信号中継装置。
【請求項３】
前記入出力ポートは、
前記対応する感知器／発信機からＲＳ４８５またはＲＳ４２２規格の差動信号、またはＤＣ２４Ｖの直流信号を受信し、シングルエンド警報信号に変換して前記上り信号経路に提供する入力ポートと、
前記下り信号経路で変換された電気信号をＲＳ４８５またはＲＳ４２２規格の差動信号、またはＤＣ２４Ｖの直流信号に変換して外部に出力する出力ポートと
を含むことを特徴とする請求項１又は２に記載の光信号中継装置。
【請求項４】
前記入出力ポートは、前記対応する感知器／発信機から光学的に受信された前記警報信号を電気的に変換して前記上り信号経路に提供し、前記下り信号経路で変換された前記電気信号を外部に光学的に出力することを特徴とする請求項１から３の何れか１項に記載の光信号中継装置。
【請求項５】
警報信号を発する複数の感知器／発信機と、
制御信号によって動作する複数の防災設備と、
前記複数の感知器／発信機のうちの対応する感知器／発信機及び前記複数の防災設備のうちの対応する防災設備に連結され、互いに光ケーブルを通じてデイジー・チェーン連結されて前記警報信号を光学的に上り伝送し、前記制御信号を光学的に下り伝送し、前記対応する感知器／発信機に前記警報信号を、前記対応する防災設備に前記制御信号をそれぞれ電気的に入出力することができる複数の第１光信号中継装置と、
前記第１光信号中継装置から前記警報信号を受信し、前記制御信号を前記第１光信号中継装置に送信するＲ型／ＧＲ型受信機と
を含み、
前記複数の第１光信号中継装置の各々は、
デイジー・チェーン連結された、下流側の第１光信号中継装置から光学的に伝達された信号を電気的に変換した電気信号と、前記対応する感知器／発信機で起因した警報信号とを電気的に結合し、前記電気的に結合された信号を光学的に変換した光信号を出力する上り信号経路と、
デイジー・チェーン連結された、上流側の第１光信号中継装置から光学的に伝達された信号を電気的に変換し、変換された電気信号を光学的に変換した光信号を出力する下り信号経路と、
前記対応する感知器／発信機から受信された前記警報信号を前記上り信号経路に提供し、前記下り信号経路で変換された前記電気信号を外部に出力する入出力ポートと
を含み、
前記上り信号経路が伝達する光信号は、最終的に前記Ｒ型／ＧＲ型受信機に伝達され、前記下り信号経路が伝達する光信号は前記Ｒ型／ＧＲ型受信機で起因したものであり、
前記上り信号経路は、
デイジー・チェーン連結された、下流側の第１光信号中継装置から光学的に伝達された信号を電気的に変換した電気信号を出力する第１光受信ポートと、
前記第１光受信ポートから出力された電気信号と前記対応する感知器／発信機で起因した警報信号とを電気的に結合した電気信号を出力する上り分岐と、
前記上り分岐から出力された電気信号を光学的に変換した光信号で出力する第１光送信ポートを含み、
前記上り分岐は、前記第１光受信ポートから出力された電気信号と前記対応する感知器／発信機で起因した警報信号を同時に受信する場合、一つのパケットにエンコードして出力するパケットエンコーダーであり、
前記下り信号経路は、
デイジー・チェーン連結された、上流側の第１光信号中継装置から光学的に伝達された信号を電気的に変換した電気信号を出力する第２光受信ポートと、
前記第２光受信ポートから出力された電気信号を前記入出力ポートと第２光送信ポートに提供する下り分岐と、
前記下り分岐から出力された電気信号を光学的に変換して出力する前記第２光送信ポートとを含み、
前記下り分岐は、前記第２光受信ポートから出力された電気信号のうち、前記複数の防災設備のうちの一つに伝達される制御信号を検出して前記入出力ポートに出力する検出回路を含み、
前記入出力ポートから受信された警報信号を前記上り信号経路に提供し、前記下り信号経路で変換された電気信号のうち制御信号を抽出して前記入出力ポートに送信する中継制御部をさらに含む、
ことを特徴とするＲ型／ＧＲ型受信機システム。
【請求項６】
前記複数の第１光信号中継装置のうちの一つと光学的に連結され、前記Ｒ型／ＧＲ型受信機と電気的に連結される単一ポート光変換器をさらに含むことを特徴とする請求項５に記載のＲ型／ＧＲ型受信機システム。
【請求項７】
光ケーブルを利用して互いにデイジー・チェーン連結され、前記警報信号を光学的に上り伝送し、前記制御信号を光学的に下り伝送することにより、前記Ｒ型／ＧＲ型受信機と前記複数の第１光信号中継装置のうちの対応する第１光信号中継装置との間を中継することができる複数の第２光信号中継装置をさらに含み、
前記Ｒ型／ＧＲ型受信機は、前記第２光信号中継装置から前記警報信号を電気的または光学的に受信し、前記第２光信号中継装置に前記制御信号を電気的または光学的に送信し、
前記第２光信号中継装置の上り信号経路は、
デイジー・チェーン連結された、下流側の第２光信号中継装置から光学的に伝達された信号を電気的に変換した電気信号を出力する第１光受信ポートと、
前記第１光受信ポートから出力された電気信号と前記対応する感知器／発信機で起因した警報信号とを電気的に結合した電気信号を出力する上り分岐と、
前記上り分岐から出力された電気信号を光学的に変換した光信号で出力する第１光送信ポートを含み、
前記上り分岐は、前記第１光受信ポートから出力された電気信号と前記対応する感知器／発信機で起因した警報信号を同時に受信する場合、一つのパケットにエンコードして出力するパケットエンコーダーであり、
前記第２光信号中継装置の下り信号経路は、
デイジー・チェーン連結された、上流側の第２光信号中継装置から光学的に伝達された信号を電気的に変換した電気信号を出力する第２光受信ポートと、
前記第２光受信ポートから出力された電気信号を前記入出力ポートと第２光送信ポートに提供する下り分岐と、
前記下り分岐から出力された電気信号を光学的に変換して出力する前記第２光送信ポートとを含み、
前記下り分岐は、前記第２光受信ポートから出力された電気信号のうち、前記複数の防災設備のうちの一つに伝達される制御信号を検出して前記入出力ポートに出力する検出回路を含み、
前記入出力ポートから受信された警報信号を前記上り信号経路に提供し、前記下り信号経路で変換された電気信号のうち制御信号を抽出して前記入出力ポートに送信する中継制御部をさらに含む
ことを特徴とする請求項５に記載のＲ型／ＧＲ型受信機システム。
【請求項８】
前記第２光信号中継装置とは光学的に連結され、前記Ｒ型／ＧＲ型受信機とは電気的に連結される単一ポート光変換器をさらに含むことを特徴とする請求項７に記載のＲ型／ＧＲ型受信機システム。
【発明の詳細な説明】
【技術分野】
【０００１】
本発明は火災受信システムに関し、より詳細には、Ｒ型及びＧＲ型受信機システムに関する。
【背景技術】
【０００２】
国家火災安全基準（ＮＦＳＣ）は、消防施設に関して様々な規格を定めた規定集であり、そのうち、ＮＦＳＣ２０３自動火災探知設備の火災安全基準は、建築物の自動火災探知設備が備えるべき条件を規定している。
【０００３】
ＮＦＳＣ２０３によると、感知器は火災発生を自動で感知し、受信機に警報を発信することができる装置であり、発信機は人が火災を直接発見した場合、これを知らせるための装置である。様々な発信機のうち、Ｐ型１級発信機は、人が発信したことを確認することができる回答ランプを備えており、受信機と発信機との間で連絡できるように電話機能を有し、Ｐ型２級発信機は、押しボタン機能はあるが、電話機能はない。受信機はＰ型、Ｒ型、Ｍ型、ＧＰ型、ＧＲ型の５つの形式があり、そのうちＲ型及びＧＲ型受信機は、複数の（中継器１００個分以上）感知器またはＰ型発信機が発信した固有信号を受信し、警報を関係者に通報できるように構成された受信機である。Ｒ型及びＧＲ型受信機は、該当感知器や発信機がどこにある感知器または発信機であるかを容易に判別できなければならない。従って、各感知器または発信機に固有の識別符号を付与することができる。大型建物に設置した感知器と発信機を直接受信機に連結することは不合理的であり、中継器が感知器及び発信機の警報信号（固有信号を含む）を受信して受信機などに発信するように規定されている。
【０００４】
中継器は、感知器または発信機の作動により発生した信号を受信機に伝達し、また、消火設備、除煙設備、その他の防災設備に制御信号を発信する装備である。従って、中継器は受信機との間に入力チャンネルと出力チャンネルを別途に有する必要がある。
【０００５】
従来のＲ型及びＧＲ型受信機システムでは、複数の中継器とＲ型／ＧＲ型受信機との間がＲＳ４８５またはＲＳ４２２により連結されていた。ＲＳ４８５／４２２規格はデファレンシャル方式で、通信距離が１ｋｍ内外であり、マルチドロップ（ｍｕｌｔｉ−ｄｒｏｐ）方式で連結した時に約１２７台または２５５台の中継器を連結することができるため、通常、一つのＲ型／ＧＲ型受信機が一つの建物をカバーすることができる。しかし、このような従来のＲ型／ＧＲ型受信機は、大きな団地やキャンパス内の建物を統合した火災監視システムを構成したり、超大型建物に火災監視システムを構築するには足りない点が多い。
【０００６】
現実的な側面で、ＲＳ４８５／４２２ワイヤで構築された火災監視システムは、誤警報と誤動作が多いため、建物の管理人が監視システムを消して放置することが多かった。性能の良くない火災監視システムを構築してきた慣行により、建物の竣工承認を得るための形式的な手続きにしか思われないのが現実である。
【発明の概要】
【発明が解決しようとする課題】
【０００７】
本発明が解決しようとする課題は、従来のＲ型／ＧＲ型受信機システムの通信距離の制限及び連結できる中継器の個数制限を克服することができる新たなＲ型／ＧＲ型受信機システムを提供することである。
【０００８】
さらに、誤動作の多い従来のＲ型／ＧＲ型受信機システムの短所を克服し、信頼できるＲ型／ＧＲ型受信機システムを提供することである。
【課題を解決するための手段】
【０００９】
本発明の一側面による光変換器は、複数の感知器／発信機または防災設備とＲ型／ＧＲ型受信機との間を光ケーブルを利用してデイジー・チェーン（ｄａｉｓｙ−ｃｈａｉｎ）連結する光変換器であって、デイジー・チェーン連結された、後の光変換器から光学的に伝達された信号を電気的に変換した電気信号と、上記感知器または発信機で起因した警報信号とを電気的に結合し、上記電気的に結合された信号を光学的に変換した光信号を出力する上り信号経路と、デイジー・チェーン連結された、前の光変換器から光学的に伝達された信号を電気的に変換し、変換された電気信号を光学的に変換した光信号を出力する下り信号経路と、複数の感知器／発信機から受信された上記警報信号を上記上り信号経路に提供し、上記下り信号経路で変換された上記電気信号を外部に出力する入出力ポートを含み、上記上り信号経路が伝達する光信号は、最終的に上記Ｒ型／ＧＲ型受信機に伝達され、上記下り信号経路が伝達する光信号は上記Ｒ型／ＧＲ型受信機で起因したものであってよい。
【００１０】
上記上り信号経路は、デイジー・チェーン連結された、後の光変換器から光学的に伝達された信号を電気的に変換した電気信号を出力する第１光受信ポートと、上記第１光受信ポートから出力された電気信号と感知器または発信機で起因した警報信号とを電気的に結合した電気信号を出力する上り分岐と、上記上り分岐から出力された電気信号を光学的に変換した光信号で出力する第１光送信ポートを含むことが好ましい。
【００１１】
上記上り分岐は、上記第１光受信ポートの出力導線と上記警報信号が伝達される導線を連結したタップであることが好ましい。
【００１２】
上記上り分岐は、上記第１光受信ポートから出力された電気信号と感知器または発信機で起因した警報信号を同時に受信する場合、何れかの信号を遅延させることで、二つの信号を順に出力する調整回路であることが好ましい。
【００１３】
上記上り分岐は、上記第１光受信ポートから出力された電気信号と感知器または発信機で起因した警報信号を同時に受信する場合、一つのパケットにエンコードして出力するパケットエンコーダーであることが好ましい。
【００１４】
上記入出力ポートは、上記感知器または発信機からＲＳ４８５またはＲＳ４２２規格の差動信号またはＤＣ２４Ｖの直流信号を受信し、シングルエンド警報信号に変換して上記上り信号経路に提供する入力ポートと、上記下り信号経路で変換された電気信号をＲＳ４８５またはＲＳ４２２規格の差動信号またはＤＣ２４Ｖの直流信号に変換して外部に出力する出力ポートとを含むことが好ましい。
【００１５】
上記下り信号経路は、デイジー・チェーン連結された、前の光変換器から光学的に伝達された信号を電気的に変換した電気信号を出力する第２光受信ポートと、上記第２光受信ポートから出力された電気信号を上記入出力ポートと第２光送信ポートに提供する下り分岐と、上記下り分岐から出力された電気信号を光学的に変換して出力する上記第２光送信ポートとを含むことが好ましい。
【００１６】
上記下り分岐は、上記第２光受信ポートの出力導線と上記入出力ポートに連結される導線を連結したタップであることが好ましい。
【００１７】
上記下り分岐は、上記第２光受信ポートから出力された電気信号のうち、上記防災設備の一つに伝達される制御信号を検出して上記入出力ポートに出力する検出回路を含むことが好ましい。
【００１８】
本発明の一側面による光中継器は、複数の感知器／発信機または防災設備とＲ型／ＧＲ型受信機との間を光ケーブルを利用してデイジー・チェーン連結する光中継器であって、デイジー・チェーン連結された、後の光中継器から光学的に伝達された信号を電気的に変換した電気信号と、感知器または発信機で起因した警報信号とを電気的に結合し、上記電気的に結合された信号を光学的に変換した光信号を出力する上り信号経路と、デイジー・チェーン連結された、前の光中継器から光学的に伝達された信号を電気的に変換し、変換された電気信号を光学的に変換した光信号を出力する下り信号経路と、入出力ポートから受信された警報信号を上記上り信号経路に提供し、上記下り信号経路で変換された電気信号のうち制御信号を抽出して上記入出力ポートに送信する中継制御部と、上記感知器または発信機と電気的に連結され、上記感知器または発信機から警報信号を受信し、上記制御信号を相応する防災設備に出力する上記入出力ポートを含み、上記上り信号経路が伝達する光信号は、最終的にＲ型／ＧＲ型受信機に伝達され、上記下り信号経路が伝達する光信号は上記Ｒ型／ＧＲ型受信機で起因したものであることが特徴であってよい。
【００１９】
上記上り信号経路は、デイジー・チェーン連結された、後の光中継器から光学的に伝達された信号を電気的に変換した電気信号を出力する第１光受信ポートと、上記第１光受信ポートから出力された電気信号と、感知器または発信機で起因した警報信号とを電気的に結合した電気信号を出力する上り分岐と、上記上り分岐から出力された電気信号を光学的に変換した光信号で出力する第１光送信ポートを含むことが好ましい。
【００２０】
上記上り分岐は、上記第１光受信ポートの出力導線と上記警報信号が伝達される導線を連結したタップであることが好ましい。
【００２１】
上記上り分岐は、上記第１光受信ポートから出力された電気信号を上記中継制御部に伝達し、上記中継制御部から上記警報信号と結合された電気信号を受信して上記第１光送信ポートに伝達するように結線されたことが好ましい。
【００２２】
上記上り分岐は、上記第１光受信ポートから出力された電気信号と、感知器または発信機で起因した警報信号を同時に受信する場合、何れかの信号を遅延させることで、二つの信号を順に出力する調整回路であることが好ましい。
【００２３】
上記上り分岐は、上記第１光受信ポートから出力された電気信号と、感知器または発信機で起因した警報信号とを同時に受信する場合、一つのパケットにエンコードして出力するパケットエンコーダーであることが好ましい。
【００２４】
上記下り信号経路は、デイジー・チェーン連結された、前の光中継器から光学的に伝達された信号を電気的に変換した電気信号を出力する第２光受信ポートと、上記第２光受信ポートから出力された電気信号を上記中継制御部と第２光送信ポートに提供する下り分岐と、上記下り分岐から出力された電気信号を光学的に変換して出力する上記第２光送信ポートを含むことが好ましい。
【００２５】
上記下り分岐は、上記第２光受信ポートの出力導線と上記中継制御部に連結される導線を連結したタップであることが好ましい。
【００２６】
上記下り分岐は、上記第２光受信ポートから出力された電気信号のうち、上記防災設備の一つに伝達される制御信号を検出して上記中継制御部に出力する検出回路を含むことが好ましい。
【００２７】
本発明の一側面によるＲ型／ＧＲ型受信機システムは、警報信号を発する複数の感知器／発信機と、制御信号によって動作する複数の防災設備と、上記感知器／発信機及び防災設備に連結された複数の中継器と、互いに光ケーブルを通じてデイジー・チェーン連結され、上記警報信号を光学的に上り伝送し、上記制御信号を光学的に下り伝送し、上記中継器に上記警報信号と制御信号を電気的に入出力することができる複数の光変換器と、上記光変換器の一つから上記警報信号を受信し、上記制御信号を上記光変換器の上記一つに送信するＲ型／ＧＲ型受信機を含むＲ型／ＧＲ型受信機システムを含んでよい。
【００２８】
上記Ｒ型／ＧＲ型受信機システムは、上記光変換器の上記一つとは光学的に連結され、上記Ｒ型／ＧＲ型受信機とは電気的に連結される単一ポート光変換器をさらに含むことが好ましい。
【００２９】
本発明の他の側面によるＲ型／ＧＲ型受信機システムは、警報信号を発する複数の感知器／発信機と、制御信号によって動作する複数の防災設備と、上記感知器／発信機及び防災設備に連結され、互いに光ケーブルを通じてデイジー・チェーン連結されて上記警報信号を光学的に上り伝送し、上記制御信号を光学的に下り伝送し、上記感知器／発信機に上記警報信号を、上記防災設備に上記制御信号をそれぞれ電気的に入出力することができる複数の光中継器と、上記光中継器の一つから上記警報信号を受信し、上記制御信号を上記光中継器の上記一つに送信するＲ型／ＧＲ型受信機を含むＲ型／ＧＲ型受信機システムを含んでよい。
【００３０】
上記Ｒ型／ＧＲ型受信機システムは、上記光中継器の上記一つとは光学的に連結され、上記Ｒ型／ＧＲ型受信機とは電気的に連結される単一ポート光変換器をさらに含むことが好ましい。
【００３１】
本発明の他の側面による光中継器は、複数の感知器／発信機または防災設備とＲ型／ＧＲ型受信機との間を光ケーブルを利用してデイジー・チェーン連結する３ウェイ光中継器であって、最終的に上記Ｒ型／ＧＲ型受信機に伝達されなければならない第１上り信号を光学的に受信し、上記第１上り信号を電気的に変換して上記感知器／発信機のうち少なくとも一つで起因した警報信号と電気的に結合した第２上り信号を光学的に出力する上り信号経路と、上記Ｒ型／ＧＲ型受信機で起因して最終的に上記防災設備のうち少なくとも一つに伝達されなければならない第１下り信号を光学的に受信し、上記第１下り信号を電気的に変換して上記防災設備のうち少なくとも一つに対する制御信号を抽出し、上記抽出後、上記第１下り信号を光学的に出力する下り信号経路と、上記感知器／発信機で起因して光学的に提供される警報信号を電気的に変換して上記上り信号経路に提供し、上記上記下り信号経路から抽出された制御信号の提供を受け、光学的に変換して出力する光入出力部を含んでよい。
【００３２】
上記上り信号経路は、デイジー・チェーン連結された、後の３ウェイ光中継器から上記第１上り信号を光学的に受信して電気的に変換した第１上り電気信号を出力する第１光受信ポートと、上記第１光受信ポートから出力された第１上り電気信号と感知器または発信機で起因した警報信号を電気的に結合した第２上り電気信号を出力する上り分岐と、上記上り分岐から出力された第２上り電気信号を光学的に変換した上記第２上り信号を出力する第１光送信ポートを含むことが好ましい。
【００３３】
上記上り分岐は、上記第１光受信ポートの出力導線と上記警報信号が伝達される導線を連結したタップであることが好ましい。
【００３４】
上記上り分岐は、上記第１光受信ポートから出力された第１上り電気信号と、感知器または発信機で起因した警報信号を同時に受信する場合、何れかの信号を遅延させることで、二つの信号を順に出力する送信調整回路であることが好ましい。
【００３５】
上記上り分岐は、上記第１光受信ポートから出力された第１上り電気信号と、感知器または発信機で起因した警報信号を同時に受信する場合、一つのパケットにエンコードして出力するパケットエンコーダーであることが好ましい。
【００３６】
上記下り信号経路は、デイジー・チェーン連結された、前の３ウェイ光中継器から光学的に伝達された信号を電気的に変換した電気信号を出力する第２光受信ポートと、上記第２光受信ポートから出力された電気信号を上記光入出力部と第２光送信ポートに提供する下り分岐と、上記下り分岐から出力された電気信号を光学的に変換して出力する上記第２光送信ポートを含むことが好ましい。
【００３７】
上記下り分岐は、上記第２光受信ポートの出力導線と上記光入出力部に連結される導線を連結したタップであることが好ましい。
【００３８】
上記下り分岐は、上記第２光受信ポートから出力された電気信号のうち、上記防災設備の一つに伝達される制御信号を検出して上記光入出力部に出力する検出回路を含むことが好ましい。
【００３９】
本発明のさらに他の側面による光中継器は、複数の感知器／発信機または防災設備とＲ型／ＧＲ型受信機との間を光ケーブルを利用してデイジー・チェーン連結する３ウェイ光中継器であって、デイジー・チェーン連結された第１の３ウェイ光中継器から第１信号を光学的に受信する第１光受信ポートと、デイジー・チェーン連結された第２の３ウェイ光中継器に第２信号を光学的に送信する第１光送信ポートと、上記第２の３ウェイ光中継器から第３信号を光学的に受信する第２光受信ポートと、上記第１の３ウェイ光中継器に第４信号を光学的に送信する第２光送信ポートと、最終的に上記Ｒ型／ＧＲ型受信機に伝達されなければならない警報信号を光学的に受信する第３光受信ポートと、最終的に上記防災設備の何れか一つに伝達されなければならない制御信号を光学的に出力する第３光送信ポートと、上記第１光受信ポート及び第３光受信ポートから光学的に受信され電気的に変換された第１信号及び警報信号の提供を受け、上記第２信号を生成して第１光送信ポートに電気的に伝達し、上記第２光受信ポートから光学的に受信され電気的に変換された上記第３信号の提供を受け、上記制御信号を抽出して上記第３光送信ポートに伝達し、上記第３信号に基づいて上記第１の３ウェイ光中継器に伝達する第４信号を生成し上記第２光送信ポートに伝達する中継部を含んでよい。
【００４０】
本発明のさらに他の側面によるＲ型／ＧＲ型受信機システムは、警報信号を発する複数の感知器／発信機と、制御信号によって動作する複数の防災設備と、光ケーブルを利用して互いにデイジー・チェーン連結され、上記警報信号を光学的に上り伝送し、上記制御信号を光学的に下り伝送することができる複数の３ウェイ光中継器と、上記それぞれの３ウェイ光中継器に連結され、上記感知器／発信機または上記防災設備の間に光ケーブルを利用して互いにデイジー・チェーン連結され、上記連結された３ウェイ光中継器に上記警報信号を光学的に伝送し、上記制御信号を上記連結された３ウェイ光中継器から光学的に受信する複数の２ウェイ光中継器と、上記複数の３ウェイ光中継器の一つから上記警報信号を電気的または光学的に受信し、上記３ウェイ光中継器の上記一つに上記制御信号を電気的または光学的に送信するＲ型／ＧＲ型受信機を含んでよい。
【００４１】
上記Ｒ型／ＧＲ型受信機システムは、上記３ウェイ光中継器の上記一つとは光学的に連結され、上記Ｒ型／ＧＲ型受信機とは電気的に連結される単一ポート光変換器をさらに含むことが好ましい。
【００４２】
本発明のさらに他の側面による光変換器は、複数の感知器／発信機または防災設備とＲ型／ＧＲ型受信機との間を光ケーブルを利用してデイジー・チェーン連結する光変換器であって、デイジー・チェーン連結された、後の光変換器から伝達された上り光信号を受信して上り電気信号に変換し、下り電気信号の伝達を受けて下り光信号に変換し上記後の光変換器に出力する第１光送受信モジュールと、デイジー・チェーン連結された、前の光変換器から伝達された下り光信号を受信して上記下り電気信号に変換し、上り結合電気信号を受信して上り結合光信号に変換し、上記前の光変換器に出力する第２光送受信モジュールと、上記第１光送受信モジュールから出力された上り電気信号と、感知器または発信機で起因した警報信号とを電気的に結合した上記上り結合電気信号を出力する上り分岐と、上記第２光送受信モジュールから出力された下り電気信号を入出力ポートと上記第１光送受信モジュールに提供する下り分岐と、上記感知器または発信機から受信した上記警報信号を上記上り分岐に提供し、上記下り電気信号の提供を受けて外部に出力する入出力ポートを含んでよい。
【００４３】
上記上り分岐は、上記第１光送受信モジュールの出力導線と上記警報信号が伝達される導線を連結したタップであることが好ましい。
【００４４】
上記上り分岐は、上記第１光送受信モジュールから出力された上記上り電気信号と、上記感知器または発信機で起因した警報信号を同時に受信する場合、何れかの信号を遅延させることで、二つの信号を順に出力する調整回路であることが好ましい。
【００４５】
上記上り分岐は、上記第１光送受信モジュールから出力された上記上り電気信号と、上記感知器または発信機で起因した警報信号を同時に受信する場合、一つのパケットにエンコードして上記上り結合電気信号に出力するパケットエンコーダーであることが好ましい。
【００４６】
上記入出力ポートは、上記感知器または発信機からＲＳ４８５またはＲＳ４２２規格の差動信号、またはＤＣ２４Ｖの直流信号を受信し、シングルエンド警報信号に変換して上記上り分岐に提供する入力ポートと、上記下り電気信号をＲＳ４８５またはＲＳ４２２規格の差動信号、またはＤＣ２４Ｖの直流信号に変換して外部に出力する出力ポートを含むことが好ましい。
【００４７】
上記下り分岐は、上記第２光送受信モジュールの出力導線と上記入出力ポートに上記下り電気信号を伝達する導線を連結したタップであることが好ましい。
【００４８】
上記下り分岐は、上記第２光送受信モジュールから出力された上記下り電気信号のうち、上記防災設備の一つに伝達される制御信号を検出して上記入出力ポートに出力する検出回路を含むことが好ましい。
【００４９】
本発明のさらに他の側面による光中継器は、複数の感知器／発信機または防災設備とＲ型／ＧＲ型受信機との間を光ケーブルを利用してデイジー・チェーン連結する光中継器であって、デイジー・チェーン連結された、後の光中継器から伝達された上り光信号を受信して上り電気信号に変換し、下り電気信号の伝達を受けて下り光信号に変換し、上記後の光中継器に出力する第１光送受信モジュールと、デイジー・チェーン連結された、前の光中継器から伝達された下り光信号を受信して上記下り電気信号に変換し、上り結合電気信号を受信して上り結合光信号に変換し、上記前の光中継器に出力する第２光送受信モジュールと、上記第１光送受信モジュールから出力された上り電気信号と、感知器または発信機で起因した警報信号とを電気的に結合した上記上り結合電気信号を出力する上り分岐と、上記第２光送受信モジュールから出力された下り電気信号を中継制御部と上記第１光送受信モジュールに提供する下り分岐と、受信された上記警報信号を上記上り分岐に提供し、上記下り電気信号から制御信号を抽出して出力する中継制御部と、上記感知器または発信機から上記警報信号を受信して上記中継制御部に提供し、上記中継制御部から上記制御信号の提供を受けて外部に出力する上記入出力ポートを含んでよい。
【００５０】
上記上り分岐は、上記第１光送受信モジュールの出力導線と上記中継制御部から上記警報信号が伝達される導線を連結したタップであることが好ましい。
【００５１】
上記上り分岐は、上記第１光送受信モジュールから出力された上記上り電気信号を上記中継制御部に伝達し、上記中継制御部から上記上り結合電気信号を受信して上記第２光送受信モジュールに伝達し、上記中継制御部は上記警報信号と上記上り電気信号を結合し、上記上り結合信号を生成して出力するように構成されることが好ましい。
【００５２】
上記上り分岐は、上記第１光送受信モジュールから出力された上記上り電気信号と、上記感知器または発信機で起因した上記警報信号を同時に受信する場合、何れかの信号を遅延させることで、二つの信号を順に出力する調整回路であることが好ましい。
【００５３】
上記上り分岐は、上記第１光受信モジュールから出力された電気信号と、感知器または発信機で起因した警報信号を同時に受信する場合、一つのパケットにエンコードして出力するパケットエンコーダーであることが好ましい。
【００５４】
上記下り分岐は、上記第２光送受信モジュールの出力導線と上記中継制御部に連結される導線を連結したタップであることが好ましい。
【００５５】
上記入出力ポートは、上記感知器または発信機からＲＳ４８５またはＲＳ４２２規格の差動信号、またはＤＣ２４Ｖの直流信号を受信し、シングルエンド警報信号に変換して上記中継制御部に提供する入力ポートと、上記中継制御部から出力された上記制御信号をＲＳ４８５またはＲＳ４２２規格の差動信号、またはＤＣ２４Ｖの直流信号に変換して外部に出力する出力ポートを含むことが好ましい。
【００５６】
本発明のさらに他の側面による光中継器は、複数の感知器／発信機または防災設備とＲ型／ＧＲ型受信機との間を光ケーブルを利用してデイジー・チェーン連結する光中継器であって、デイジー・チェーン連結された、後の光中継器から伝達された上り光信号を受信して上り電気信号に変換し、下り電気信号の伝達を受けて下り光信号に変換し、上記後の光中継器に出力する第１光送受信モジュールと、デイジー・チェーン連結された、前の光中継器から伝達された下り光信号を受信して上記下り電気信号に変換し、上り結合電気信号を受信して上り結合光信号に変換し、上記前の光中継器に出力する第２光送受信モジュールと、上記第１光送受信モジュールから出力された上り電気信号と、感知器または発信機で起因した警報信号とを電気的に結合した上記上り結合電気信号を出力する上り分岐と、上記第２光送受信モジュールから出力された下り電気信号を中継制御部と上記第１光送受信モジュールに提供する下り分岐と、受信した上記警報信号を上記上り分岐に提供し、上記下り電気信号から制御信号を抽出して出力する中継制御部と、上記感知器または発信機から起因した上記警報信号を光信号の形態で受信し、電気信号の形態に変換して上記中継制御部に提供し、上記中継制御部から上記制御信号の提供を受けて外部に光信号の形態で出力する上記第３光送受信モジュールを含んでよい。
【００５７】
上記上り分岐は、上記第１光送受信モジュールの出力導線と上記中継制御部から上記警報信号が伝達される導線を連結したタップであることが好ましい。
【００５８】
上記上り分岐は上記第１光送受信モジュールから出力された上記上り電気信号を上記中継制御部に伝達し、上記中継制御部から上記上り結合電気信号を受信して上記第２光送受信モジュールに伝達し、上記中継制御部は上記警報信号と上記上り電気信号を結合し、上記上り結合信号を生成して出力するように構成されることが好ましい。
【００５９】
上記上り分岐は、上記第１光送受信モジュールから出力された上記上り電気信号と、上記感知器または発信機で起因した上記警報信号を同時に受信する場合、何れかの信号を遅延させることで、二つの信号を順に出力する調整回路であることが好ましい。
【００６０】
上記上り分岐は、上記第１光受信モジュールから出力された電気信号と感知器または発信機で起因した警報信号を同時に受信する場合、一つのパケットにエンコードして出力するパケットエンコーダーであることが好ましい。
【００６１】
上記下り分岐は、上記第２光送受信モジュールの出力導線と上記中継制御部に連結される導線を連結したタップであることが好ましい。
【発明の効果】
【００６２】
本発明によると、従来のＲ型／ＧＲ型受信機システムに比べて、遥かに長い距離で通信でき、最大６５５３５台までの中継器を連結することができるため、一つのＲ型受信機で一つの建物だけでなく、大きな団地全体または超高層ビル全体の火災監視システムを構築することができる。
【００６３】
本発明の一実施例によると、従来の中継器、感知器、発信機をそのまま利用しながらも、Ｒ型／ＧＲ型受信機システムの収容容量を大きく拡張することができる。
【００６４】
さらに、本発明の実施例は、エラー率を大きく減らして信頼性のあるＲ型／ＧＲ型受信機システムを構築することができる。
【図面の簡単な説明】
【００６５】
【図１】本発明の一実施例による光中継Ｒ型／ＧＲ型受信機システムを概略的に示すブロック図である。
【図２】図１の光中継Ｒ型／ＧＲ型受信機システムに用いることができる２ウェイ光中継器を例示的に示すブロック図である。
【図３】図１の光中継Ｒ型／ＧＲ型受信機システムに用いることができる２ウェイ光中継器を例示的に示すブロック図である。
【図４】図１の光中継Ｒ型／ＧＲ型受信機システムに用いることができる２ウェイ光中継器を例示的に示すブロック図である。
【図５】図１の光中継Ｒ型／ＧＲ型受信機システムに用いることができる光入出力ポートを示すブロック図である。
【図６】本発明の他の実施例による光中継Ｒ型／ＧＲ型受信機システムを概略的に示すブロック図である。
【図７】図６の光中継Ｒ型／ＧＲ型受信機システムに用いることができる２ウェイ光変換器を例示的に示すブロック図である。
【図８】図６の光中継Ｒ型／ＧＲ型受信機システムに用いることができる２ウェイ光変換器を例示的に示すブロック図である。
【図９】図６の光中継Ｒ型／ＧＲ型受信機システムに用いることができる単一ポート光変換器を示すブロック図である。
【図１０】本発明の一実施例による光中継Ｒ型／ＧＲ型受信機システムを概略的に示すブロック図である。
【図１１】図１０の光中継Ｒ型／ＧＲ型受信機システムに用いることができる３ウェイ光中継器を例示的に示すブロック図である。
【図１２】図１０の光中継Ｒ型／ＧＲ型受信機システムに用いることができる３ウェイ光中継器を例示的に示すブロック図である。
【図１３】図１０の光中継Ｒ型／ＧＲ型受信機システムに用いることができる３ウェイ光中継器を例示的に示すブロック図である。
【図１４】図１０の光中継Ｒ型／ＧＲ型受信機システムに用いることができる光入出力ポートを示すブロック図である。
【図１５】本発明の他の実施例による光中継Ｒ型／ＧＲ型受信機システムを概略的に示すブロック図である。
【図１６】図１５の光中継Ｒ型／ＧＲ型受信機システムに用いることができる単一ポート光変換器を示すブロック図である。
【図１７】本発明の一実施例による光中継Ｒ型／ＧＲ型受信機システムを概略的に示すブロック図である。
【図１８】図１７の光中継Ｒ型／ＧＲ型受信機システムに用いることができる２ウェイ光中継器を例示的に示すブロック図である。
【図１９】図１７の光中継Ｒ型／ＧＲ型受信機システムに用いることができる２ウェイ光中継器を例示的に示すブロック図である。
【図２０】図１７の光中継Ｒ型／ＧＲ型受信機システムに用いることができる２ウェイ光中継器を例示的に示すブロック図である。
【図２１】図１７の光中継Ｒ型／ＧＲ型受信機システムに用いることができる光入出力ポートを示すブロック図である。
【図２２】本発明の他の実施例による光中継Ｒ型／ＧＲ型受信機システムを概略的に示すブロック図である。
【図２３】図２２の光中継Ｒ型／ＧＲ型受信機システムに用いることができる２ウェイ光変換器を例示的に示すブロック図である。
【図２４】図２２の光中継Ｒ型／ＧＲ型受信機システムに用いることができる２ウェイ光変換器を例示的に示すブロック図である。
【図２５】図２２の光中継Ｒ型／ＧＲ型受信機システムに用いることができる単一ポート光変換器を示すブロック図である。
【図２６】本発明のさらに他の実施例による光中継Ｒ型／ＧＲ型受信機システムを概略的に示すブロック図である。
【図２７】図２６の光中継Ｒ型／ＧＲ型受信機システムに用いることができる３ウェイ光中継器を例示的に示すブロック図である。
【図２８】図２６の光中継Ｒ型／ＧＲ型受信機システムに用いることができる３ウェイ光中継器を例示的に示すブロック図である。
【図２９】図２６の光中継Ｒ型／ＧＲ型受信機システムに用いることができる３ウェイ光中継器を例示的に示すブロック図である。
【発明を実施するための形態】
【００６６】
本文に開示されている本発明の実施例に対する特定の構造的または機能的説明は、本発明の実施例を説明するために例示されているだけで、本発明の実施例は多様な形態で実施されることができ、本文に説明されている実施例に限定されると解釈されてはならない。
【００６７】
以下、添付の図面を参照して本発明の好ましい実施例をより詳細に説明する。図面上の同じ構成要素に対しては同じ参照符号を使用し、同じ構成要素に対して重複する説明は省略する。図面符号に関して、図面符号の最左側の数字はその図面符号が指し示す対象が最初に登場する図面の番号を意味することができる。
【００６８】
図１は本発明の一実施例による光中継Ｒ型／ＧＲ型受信機システムを概略的に示すブロック図である。
【００６９】
図１を参照すると、光中継Ｒ型／ＧＲ型受信機システム１０は、Ｒ型／ＧＲ型受信機１１と、光ケーブル１２ａ、１２ｂと、光中継器１３ａ、１３ｂ...１３ｎと、感知器または発信機１４と、防災設備１５とを含んでよい。光中継器１３ａ、１３ｂ...１３ｎは、デイジー・チェーン（ｄａｉｓｙ  ｃｈａｉｎ）形式で連結されている。
【００７０】
具体的には、Ｒ型／ＧＲ型受信機１１は、制御部１１１と、動作点検部１１２と、表示部１１３と、ネットワークインターフェース１１４と、光入出力ポート１１５とを含む。制御部１１１は、警報信号の受信及び統制、警報信号を発生させた中継器と発信機の識別、管制センター（不図示）との通信などの動作を制御する。動作点検部１１２は、受信機に連結された各中継器と回線が正常に動作するのかを試すことができる。表示部１１３は、ディスプレイ、ＬＥＤランプ、スピーカーなどを含み、警報状態、動作状態などを視覚的または聴覚的に表示することができる。ネットワークインターフェース１１４は、管制センターとの通信を行う。実施例によっては、ストレージを付加して動作情報を累積保存してよい。
【００７１】
Ｒ型／ＧＲ型受信機１１の光入出力ポート１１５は、感知器または発信機１４で発生した警報信号を光ケーブル１２ａを通じて光信号の形態で受信し、電気信号に変換して制御部１１１に伝達し、また、管制センターから各防災設備に伝達するように提供された制御信号の伝達を制御部１１１から受け、光信号に変換してから光ケーブル１２ｂを通じて送信することができる。
【００７２】
Ｒ型／ＧＲ型受信機１１で起因した制御信号を各光中継器１３を経て防災設備１５まで伝播する経路は下り（ｄｏｗｎｓｔｒｅａｍ）信号経路であり、感知器または発信機１４で起因した警報信号を光中継器１３を経てＲ型／ＧＲ型受信機１１に伝播する経路は上り（ｕｐｓｔｒｅａｍ）信号経路であると言える。
【００７３】
実施例によっては、Ｒ型／ＧＲ型受信機１１は、従来と同様に、ＲＳ４８５またはＲＳ４２２入出力ポートを有してもよい。この場合、光入出力ポート１１５は別途の装置で、例えば、単一ポート光変換器で構成され、Ｒ型／ＧＲ型受信機１１の外部でＲＳ４８５／４２２入出力ポートに連結されるように装着されてよく、光信号をＲＳ４８５／４２２信号に変換してＲ型／ＧＲ型受信機１１に伝達したり、Ｒ型／ＧＲ型受信機１１から出力されたＲＳ４８５／４２２差動信号を光信号に変換して伝達することができる。
【００７４】
光ケーブル１２ａはＲ型／ＧＲ型受信機１１に向かう警報信号を伝達する媒体であり、光ケーブル１２ｂはＲ型／ＧＲ型受信機１１から出力された制御信号を伝達する媒体である。
【００７５】
図１には、光ケーブル１２ａ、１２ｂが物理的に別個のケーブルと例示されているが、実施例によっては、光ケーブル１２ａ、１２ｂは物理的に一つの光ケーブル内に位置した異なる光ファイバーで具現されてもよい。
【００７６】
光中継器１３ａ、１３ｂ...１３ｎは、互いに光ケーブル１２ａ、１２ｂを通じて光学的に連結され、それぞれ一つ以上の感知器または発信機１４に電気的に連結されている。感知器または発信機１４は、例えば、建物内の一つの業務区画、一階などにグループ化され、一つの光中継器１３に単純な直流信号線またはＲＳ４８５／４２２ワイヤで連結されることができる。光中継器１３ａ、１３ｂ...１３ｎは、例えば、消火栓、スプリンクラー、ハロゲン消火器などの消防設備、ダンパー、防火戸、防火シャッター、排煙窓のような除煙設備、その他に避難誘導灯のような防災設備１５に電気的に連結されてよい。
【００７７】
光中継器１３ａ、１３ｂ...１３ｎはデイジー・チェーン方式で連結されており、次番の光中継器１３から伝達された警報信号、または感知器または発信機１４で発生した警報信号を、実施例によって、選択的に、または受信された警報信号を結合して前番の光中継器１３に伝達する。また、光中継器１３ａ、１３ｂ...１３ｎは、Ｒ型／ＧＲ型受信機１１から伝達された制御信号、または前番の光中継器１３を通じて伝達された制御信号を、その制御信号が目的とする消防、除煙、その他防災設備１５に伝達したり、次番の光中継器１３に伝達する。
【００７８】
本発明の光中継器１３ａ、１３ｂ...１３ｎは、他の光中継器１３とは光学的に連結され、感知器または発信機１４や防災設備とは電気的に連結されてよい。即ち、光中継器１３は、受信した光信号を先ず電気信号に変換して処理し、処理した電気信号を光信号に変換して出力する。
【００７９】
感知器または発信機１４は、通常の火災、煙、熱、ガス感知器、または人が直接ボタンを押して警報を発生させるボタン型発信機であってよい。感知器または発信機１４は、電気的な警報信号を発生させて光中継器１３に送信することができる。商業的に簡単に購入できる感知器または発信機１４は、通常、ＲＳ４８５／４２２で規定された差動信号の形態で警報信号を発生させることができる。この場合、光中継器１３もＲＳ４８５／４２２入出力ポートを備え、これを通じて警報信号を受信することができる。他の形態の商業的に簡単に購入できる感知器または発信機１４は、ＤＣ２４Ｖのシングルエンド直流信号の形態で警報信号を発生させることができる。この場合、光中継器１３も直流入出力ポートを備え、これを通じて警報信号を受信することができる。
【００８０】
実施例によっては、感知器または発信機１４も警報信号を光信号で出力し、光中継器１３と光ケーブルを通じて連結されてよい。
【００８１】
図２、図３、図４は、図１の光中継Ｒ型／ＧＲ型受信機システムに用いることができる２ウェイ光中継器を示すブロック図である。
【００８２】
図２、図３、図４を参照すると、光中継器１３は第１光受信ポート１３１と、上り分岐１３２と、第１光送信ポート１３３と、第２光受信ポート１３６と、下り分岐１３５と、第２光送信ポート１３４と、中継制御部１３７と、入出力ポート１３８とを含んでよい。図２、図３、図４において、上り分岐１３２と下り分岐１３５の構造が異なり、光中継器１３の残りの構成要素は実質的に同一であるとみることができる。
【００８３】
第１光受信ポート１３１、上り分岐１３２、第１光送信ポート１３３は上り信号経路を構成し、他の光中継器から伝達された警報信号及び該当光中継器１３に連結されている感知器または発信機１４から入力される警報信号を、Ｒ型／ＧＲ型受信機１１の方に伝達する。第２光受信ポート１３６、下り分岐１３５、第２光送信ポート１３４は下り信号経路を構成し、Ｒ型／ＧＲ型受信機１１で起因した制御信号を他の光中継器１３と中継制御部１３７に伝達する。
【００８４】
中継制御部１３７は、感知器または発信機１４から伝達された警報信号が適切な信号であるかを判断し、上り分岐１３２に伝達する。また、中継制御部１３７は下り分岐１３５から伝達された制御信号が該当光中継器１３に連結されている防災設備に関するものであるかを判断し、該当制御信号が該当光中継器１３に連結されている防災設備に関するものであれば、その防災設備に伝達する。
【００８５】
中継制御部１３７と感知器または発信機１４は、入出力ポート１３８を通じてＲＳ４８５／４２２規格またはＤＣ２４Ｖ信号線で連結されてよい。実施例によっては、入出力ポート１３８は光入出力ポートであってよく、この場合、感知器または発信機１４と光ケーブルで連結されてよい。
【００８６】
具体的に説明すると、第１光受信ポート１３１は、他の光中継器から光ケーブルを通じて伝達された警報信号を受信し、受信した光警報信号を電気的な警報信号に変換する。上り分岐１３２は、感知器または発信機１４で発生し中継制御部１３７を通じて伝達される警報信号と、第１光受信ポート１３１で変換された警報信号とを結合した後、結合された電気信号を第１光送信ポート１３３に伝達する。第１光送信ポート１３３は、伝達された電気信号を光信号に変換してから光ケーブルに出力する。
【００８７】
上り分岐１３２は様々な構成で具現されることができる。図２を参照すると、一実施例では、上り分岐１３２は単に二つの導線を連結したタップ（ｔａｐ）であってよい。この場合、上り分岐１３２の構造は簡単であるが、感知器または発信機１４で発生した警報信号と他の中継器１３から伝達される警報信号が同時に印加されると、衝突が発生することがある。
【００８８】
図３を参照すると、他の実施例において、上り分岐１３２は、第１光受信ポート１３１と中継制御部１３７を電気的に連結し、中継制御部１３７と第１光送信ポート１３３を電気的に連結するように結線されることができる。この場合、他の光中継器１３から伝達された警報信号は、上り分岐１３２の結線を通じて中継制御部１３７に伝達され、中継制御部１３７が警報信号を結合処理した後、処理された警報信号は上り分岐１３２の結線を通じて第１光送信ポート１３３に伝達される。
【００８９】
図４を参照すると、上り分岐１３２は調整回路で具現され、例えば、二つの警報信号が同時に印加される場合、何れかの信号を優先的に出力し、他の信号を所定の時間遅延させた後に出力させることで衝突を防止したり、または、パケットエンコーダーで具現され、例えば、一つのペイロードに二つの警報信号を積載したパケットにエンコードしてから出力することができる。下り分岐１３５は、該当光中継器１３に連結されている消防設備に伝送する制御信号を抽出する検出回路で具現されることができる。
【００９０】
一方、第２光受信ポート１３６は、Ｒ型／ＧＲ型受信機１１で起因して光ケーブルを通じて伝達された制御信号を受信し、受信した光制御信号を電気的な制御信号に変換する。下り分岐１３５は、Ｒ型／ＧＲ型受信機１１で起因した制御信号を中継制御部１３７と第２光送信ポート１３４にそれぞれ伝達する。第２光送信ポート１３４は伝達された制御信号を光信号に変換してから光ケーブルに出力する。
【００９１】
下り分岐１３５は様々な構成で具現されることができる。図２を参照すると、一実施例では、下り分岐１３５は単にタップであってよい。この場合、制御信号は第２光送信ポート１３４と中継制御部１３の両方に直接伝達される。
【００９２】
図３を参照すると、他の実施例において、下り分岐１３５は第２光受信ポート１３６と中継制御部１３７を電気的に連結し、中継制御部１３７と第２光送信ポート１３４を電気的に連結するように結線されることができる。この場合、他の光中継器１３から伝達された制御信号は、下り分岐１３５の結線を通じて中継制御部１３７に伝達される。中継制御部１３７が受信した制御信号を適切に処理して出力すると、処理された制御信号は下り分岐１３５の結線を通じて第２光送信ポート１３４に伝達される。このとき、中継制御部１３７は受信した制御信号をそのまま再び出力してもよく、通信量を減らせるように該当光中継器１３に関する部分を除去し、制御信号を再び生成して出力してもよい。
【００９３】
図４を参照すると、下り分岐１３５は検出回路で具現され、例えば、印加される制御信号のうち該当光中継器１３に相応する制御信号がある時のみ、制御信号を中継制御部１３７に伝達し、そうでない場合には、制御信号を第２光送信ポート１３４に伝達することができる。
【００９４】
図５は、図１の光中継Ｒ型／ＧＲ型受信機システムに用いることができる光入出力ポートを示すブロック図である。
【００９５】
図５を参照すると、光入出力ポート１１５は光送信ポート１１５１と、光受信ポート１１５２とを含む。光送信ポート１１５１は、Ｒ型／ＧＲ型受信機１１の電気的な制御信号を光信号に変換して出力する。光受信ポート１１５２は、光信号形態の警報信号の入力を受け、電気信号に変換してＲ型／ＧＲ型受信機１１に提供する。
【００９６】
図６は、本発明の他の実施例による光中継Ｒ型／ＧＲ型受信機システムを概略的に示すブロック図である。
【００９７】
図６を参照すると、光中継Ｒ型受信機システム６０は、Ｒ型／ＧＲ型受信機１１と、単一ポート光変換器６１と、光ケーブル１２ａ、１２ｂと、２ウェイポート光変換器６３ａ、６３ｂ...６３ｎと、中継器６４ａ、６４ｂ...６４ｎと、感知器または発信機１４とを含んでよい。光変換器６３ａ、６３ｂ...６３ｎは、デイジー・チェーン形式で連結されている。
【００９８】
Ｒ型／ＧＲ型受信機１１は制御部１１１と、動作点検部１１２と、表示部１１３と、ネットワークインターフェース１１４と、入出力ポート１１６とを含み、図１のＲ型／ＧＲ型受信機１１と実質的に類似するため、これに関する説明は省略する。但し、入出力ポート１１６は、図１において光信号で入出力する光入出力ポート１１５に相応する要素であり、図６ではＲＳ４８５／４２２規格で電気信号を入力及び出力することができる。
【００９９】
単一ポート光変換器６１は、Ｒ型／ＧＲ型受信機１１の入出力ポート１１６と光ケーブル１２ａ、１２ｂとの間に連結され、光ケーブル１２ａを通じて受信した光信号形態の警報信号を電気信号に変換してＲ型／ＧＲ型受信機１１の入出力ポート１１６に提供し、Ｒ型／ＧＲ型受信機１１の入出力ポート１１６から出力された制御信号を光信号に変換して光ケーブル１２ｂを通じて出力する。
【０１００】
２ウェイポート光変換器６３は、光ケーブル１２ａ、１２ｂを通じて二つの中継器６４間の信号送信または中継器６４と受信機１１間の信号送信を行うことができ、また、中継器６４とはＲＳ４８５／４２２通信で連結され、警報信号の送信を行うことができる。
【０１０１】
中継器６４は、ＲＳ４８５／４２２通信規格を利用する従来の中継器であってよく、感知器または発信機１４も従来の感知器または発信機であってよい。
【０１０２】
図７、図８は、図６の光中継Ｒ型／ＧＲ型受信機システムに用いることができる２ウェイポート光中継器を示すブロック図である。
【０１０３】
図７、図８を参照すると、２ウェイ光変換器６３は、第１光受信ポート６３１と、上り分岐６３２と、第１光送信ポート６３３と、第２光受信ポート６３６と、下り分岐６３５と、第２光送信ポート６３４と、入出力ポート６３８とを含んでよい。図７、図８において、上り分岐６３２と下り分岐６３５の構造が異なり、２ウェイ光変換器６３の残りの構成要素は実質的に同一であるとみることができる。
【０１０４】
第１光受信ポート６３１、上り分岐６３２、第１光送信ポート６３３は上り信号経路を構成し、他の２ウェイ光変換器４３から伝達された警報信号及び該当２ウェイ光変換器６３に連結されている中継器を通じて感知器または発信機１４から入力される警報信号を他の２ウェイ光変換器６３に伝達する。第２光受信ポート６３６、下り分岐６３５、第２光送信ポート６３４は下り信号経路を構成し、Ｒ型受信機１１で起因した制御信号を他の２ウェイ変換器６３と入出力ポート４３８に伝達する。
【０１０５】
入出力ポート６３８は、中継器６４を通じて感知器または発信機１４から入力されたＲＳ４８５／４２２規格の警報信号またはＤＣ２４Ｖの直流信号を光信号に変換するのに適したシングルエンド信号に変換して上り分岐６３２に伝達する。また、入出力ポート６３８は、下り分岐６３５から伝達されたシングルエンド制御信号をＲＳ４８５／４２２規格の制御信号またはＤＣ２４Ｖの直流信号に変換して出力する。
【０１０６】
具体的に説明すると、第１光受信ポート６３１は、他の光中継器から光ケーブルを通じて伝達された警報信号を受信し、受信した光警報信号を電気的な警報信号に変換する。上り分岐６３２は、感知器または発信機１４で発生し入出力ポート６３８を通じて伝達される警報信号と、第１光受信ポート６３１で変換された警報信号とを結合した後、結合された電気信号を第１光送信ポート６３３に伝達する。第１光送信ポート６３３は、伝達された電気信号を光信号に変換してから光ケーブルに出力する。
【０１０７】
上り分岐６３２は様々な構成で具現されることができる。図７を参照すると、一実施例では、上り分岐６３２は単にタップ（ｔａｐ）であってよい。この場合、上り分岐６３２の構造は簡単であるが、感知器または発信機１４で発生し中継器６４から伝達された警報信号と、他の光変換器６３から伝達される警報信号が同時に印加されると、衝突が発生することがある。
【０１０８】
図８を参照すると、上り分岐６３２は調整回路で具現され、例えば、二つの警報信号が同時に印加される場合、何れかの信号を優先的に出力し、他の信号を所定の時間遅延させた後に出力させることで衝突を防止したり、または、パケットエンコーダーで具現され、例えば、一つのペイロードに二つの警報信号を積載したパケットにエンコードしてから出力することができる。
【０１０９】
一方、第２光受信ポート６３６は、Ｒ型／ＧＲ型受信機１１で起因して他の２ウェイ光変換器６３及び光ケーブル１２ｂを通じて伝達された制御信号を受信し、受信した光制御信号を電気的な制御信号に変換する。下り分岐６３５は、Ｒ型／ＧＲ型受信機１１で起因した制御信号を入出力ポート６３８と第２光送信ポート６３４にそれぞれ伝達する。第２光送信ポート６３４は、伝達された制御信号を光信号に変換してから光ケーブルに出力する。
【０１１０】
下り分岐６３５は様々な構成で具現されることができる。図７を参照すると、一実施例では、下り分岐６３５は単にタップであってよい。この場合、制御信号は第２光送信ポート６３４と入出力ポート６３８の両方に直接伝達される。
【０１１１】
図８を参照すると、他の実施例において、下り分岐６３５は検出回路で具現され、例えば、印加される制御信号のうち該当２ウェイ光変換器６３に相応する制御信号がある時のみ、制御信号を入出力ポート６３８に伝達し、そうでない場合には、制御信号を第２光送信ポート６３４に伝達することができる。
【０１１２】
図９は、図６の光中継Ｒ型／ＧＲ型受信機システムに用いることができる単一ポート光変換器を示すブロック図である。
【０１１３】
図９を参照すると、単一ポート光変換器６１は光送信ポート６１１と、光受信ポート６１２と、入出力ポート６１３とを含む。入出力ポート６１３は、Ｒ型／ＧＲ型受信機１１から提供されたＲＳ４８５／４２２規格の差動制御信号をシングルエンド制御信号に変換する。光送信ポート６１１はシングルエンド制御信号を光信号に変換して出力する。光受信ポート６１２は光信号形態の警報信号をシングルエンド警報信号に変換して入出力ポート６１３に提供する。入出力ポート６１３はシングルエンド警報信号をＲＳ４８５／４２２規格の差動警報信号に変換してＲ型／ＧＲ型受信機１１に提供する。
【０１１４】
図１０は、本発明の一実施例による光中継Ｒ型／ＧＲ型受信機システムを概略的に示すブロック図である。
【０１１５】
図１０を参照すると、光中継Ｒ型／ＧＲ型受信機システム１００は、Ｒ型／ＧＲ型受信機１１と、光ケーブル１２ａ、１２ｂと、３ウェイ光中継器１０３ａ、１０３ｂ...１０３ｎと、２ウェイ光中継器１３ａ...１３ｍと、感知器または発信機１４と、防災設備１５とを含んでよい。３ウェイ光中継器１０３ａ、１０３ｂ...１０３ｎは互いにデイジー・チェーン方式で連結されており、２ウェイ光中継器１３ａ...１３ｍも互いにデイジー・チェーン方式で連結されている。
【０１１６】
図１０のＲ型／ＧＲ型受信機１１は、図１の受信機１１と実質的に同一であるため、その説明を省略する。また、図１０の２ウェイ光中継器１３も図１の光中継器１３と実質的に同一であるため、その説明を省略する。
【０１１７】
Ｒ型／ＧＲ型受信機１１で起因した制御信号をそれぞれの３ウェイ中継器１０３と２ウェイ中継器１３を経て防災設備１５まで伝播する経路は下り信号経路であり、感知器または発信機１４で起因した警報信号を２ウェイ中継器１３と３ウェイ中継器１０３を経てＲ型／ＧＲ型受信機１１に伝播する経路は上り信号経路であると言える。
【０１１８】
３ウェイ光中継器１０３ａ、１０３ｂ...１０３ｎは互いに光ケーブル１２ａ、１２ｂを通じて光学的に連結され、それぞれ２ウェイ光中継器１３ａに光ケーブル１２ａ、１２ｂを通じて光学的に連結されている。
【０１１９】
３ウェイ光中継器１０３ａ、１０３ｂ...１０３ｎはデイジー・チェーン方式で連結されており、上り信号経路では、次番の３ウェイ光中継器１０３から光学的に伝達された警報信号または２ウェイ光中継器１３ａから光学的に伝達された警報信号を、実施例によって、選択的に、または受信した警報信号を結合して前番の３ウェイ光中継器１０３に伝達する。また、それぞれの３ウェイ光中継器１０３ａ、１０３ｂ...１０３ｎは、下り信号経路では、Ｒ型／ＧＲ型受信機１１から光学的に伝達された制御信号または前番の３ウェイ光中継器１０３を通じて光学的に伝達された制御信号を、その制御信号が目的とする消防、除煙、その他防災設備１５が連結されている２ウェイ光中継器１３ａ...１３ｍに光学的に伝達したり、次番の３ウェイ光中継器１０３に光学的に伝達する。
【０１２０】
本発明の３ウェイ光中継器１０３ａ、１０３ｂ...１０３ｎは、それぞれ他の３ウェイ光中継器１０３と光学的に連結され、２ウェイ光中継器１３ａと光学的に連結されてもよい。３ウェイ光中継器１０３は、受信した光信号を内部で先ず電気信号に変換して処理し、処理された電気信号を再び光信号に変換して出力する。
【０１２１】
２ウェイ光中継器１３は複数のデイジー・チェーン連結された２ウェイ光中継器１３ａ...１３ｍを含む。２ウェイ光中継器１３ａ...１３ｍは互いに光ケーブル１２ａ、１２ｂを通じて光学的に連結され、それぞれ一つ以上の感知器または発信機１４に電気的に連結されている。感知器または発信機１４は、例えば、建物内の一つの業務区画、一階などにグループ化され、それぞれの２ウェイ光中継器１３に単純な直流信号線またはＲＳ４８５／４２２ワイヤで連結されてよい。２ウェイ光中継器１３ａ...１３ｍは、例えば、消火栓、スプリンクラー、ハロゲン消火器などの消防設備、ダンパー、防火戸、防火シャッター、排煙窓のような除煙設備、その他に避難誘導灯のような防災設備１５に電気的に連結されてよい。
【０１２２】
２ウェイ光中継器１３ａ...１３ｍは、上り信号経路では、次番の２ウェイ光中継器１３から光学的に伝達された警報信号、または感知器または発信機１４で発生した電気的な警報信号を、実施例によって、選択的に、または受信した警報信号を結合して前番の２ウェイ光中継器１３ａ...１３ｍに光学的に伝達したり、それ自体と連結されている３ウェイ光中継器１０３に光学的に伝達する。また、２ウェイ光中継器１３ａ...１３ｍは、下り信号経路でそれ自体と連結されている３ウェイ光中継器１０３から光学的に伝達された制御信号、または前番の２ウェイ光中継器１３ａ...１３ｍを通じて光学的に伝達された制御信号を、その制御信号が目的とする消防、除煙、その他防災設備１５に電気的に伝達したり、次番の２ウェイ光中継器１３に光学的に伝達する。
【０１２３】
本発明の２ウェイ光中継器１３ａ...１３ｍは、他の２ウェイ光中継器１３ａ...１３ｍとは光学的に連結され、感知器または発信機１４や防災設備１５とは電気的に連結されてよい。即ち、２ウェイ光中継器１３ａ...１３ｍは、受信した光信号を先ず電気信号に変換して処理し、このように処理された電気信号を光信号に変換して出力する。
【０１２４】
図１と同様に、感知器または発信機１４は、通常の火災、煙、熱、ガス感知器、または人が直接ボタンを押して警報を発生させるボタン型発信機であってよい。感知器または発信機１４は、電気的な警報信号を発生させて２ウェイ光中継器１３ａ...１３ｍに送信することができる。商業的に簡単に購入できる感知器または発信機１４は、通常、ＲＳ４８５／４２２で規定された差動信号の形態で警報信号を発生させることができる。この場合、２ウェイ光中継器１３ａ...１３ｍもＲＳ４８５／４２２入出力ポートを備え、これを通じて警報信号を受信することができる。また、他の形態の商業的に簡単に購入できる感知器または発信機１４は、ＤＣ２４Ｖのシングルエンド直流信号の形態で警報信号を発生させることができる。この場合、２ウェイ光中継器１３ａ...１３ｍも直流入出力ポートを備え、これを通じて警報信号を受信することができる。
【０１２５】
実施例によっては、感知器または発信機１４も警報信号を光信号で出力し、２ウェイ光中継器１３ａ...１３ｍと光ケーブルを通じて連結されることができる。
【０１２６】
図１１、図１２、図１３は、図１０の光中継Ｒ型／ＧＲ型受信機システム１００に用いることができる３ウェイ光中継器を示すブロック図である。
【０１２７】
図１１、図１２、図１３を参照すると、３ウェイ光中継器１０３は第１光受信ポート１０３１と、上り分岐１０３２と、第１光送信ポート１０３３と、第２光受信ポート１０３４と、下り分岐１０３５と、第２光送信ポート１０３６と、中継制御部１０３７と、第３光受信ポート１０３８と、第３光送信ポート１０３９とを含んでよい。図１１、図１２、図１３において、上り分岐１０３２と下り分岐１０３５の構造が異なり、３ウェイ光中継器１０３の残りの構成要素は実質的に同一であるとみることができる。
【０１２８】
第１光受信ポート１０３１、上り分岐１０３２、第１光送信ポート１０３３は上り信号経路を構成し、他の３ウェイ光中継器から伝達された警報信号及び該当３ウェイ光中継器１０３に連結されている２ウェイ光中継器１３ａから中継制御部１０３７を経て入力される警報信号を、Ｒ型／ＧＲ型受信機１１の方に伝達する。第２光受信ポート１０３４、下り分岐１０３５、第２光送信ポート１０３６は下り信号経路を構成し、Ｒ型／ＧＲ型受信機１１で起因した制御信号を他の３ウェイ光中継器１０３と中継制御部１０３７に伝達する。
【０１２９】
第３光受信ポート１０３８は、２ウェイ光中継器１３ａから伝達された光警報信号を電気信号に変換して中継制御部１０３７に伝達する。中継制御部１０３７は２ウェイ光中継器１３ａから第３光受信ポート１０３８を通じて伝達された警報信号が適切な信号であるかを判断し、これを上り分岐１０３２に伝達する。また、中継制御部１０３７は、下り分岐１０３５から伝達された制御信号がその３ウェイ光中継器１０３により中継される２ウェイ光中継器１３ａ〜１３ｍに連結されている防災設備に関するものであるかを判断し、該当制御信号が該当２ウェイ光中継器１３ａ〜１３ｍに連結されている防災設備に関するものであれば、制御信号を第３光送信ポート１０３９に出力する。第３光送信ポート１０３９は制御信号を光信号に変換して２ウェイ光中継器１３ａに出力する。
【０１３０】
具体的に説明すると、第１光受信ポート１０３１は、他の３ウェイ光中継器から光ケーブルを通じて伝達された警報信号を受信し、受信した光警報信号を電気的な警報信号に変換する。上り分岐１０３２は、２ウェイ光中継器１３ａから中継制御部１０３７を通じて伝達される警報信号と第１光受信ポート１０３１で電気的に変換された警報信号に基づいて合成された電気信号を第１光送信ポート１０３３に伝達する。第１光送信ポート１０３３は、伝達された電気信号を光信号に変換してから光ケーブルに出力する。
【０１３１】
上り分岐１０３２は様々な構成で具現されることができる。図１１を参照すると、一実施例では、上り分岐１０３２は第１光受信ポート１０３１と中継制御部１０３７からの二つの導線を電気的に連結したタップ（ｔａｐ）であってよい。この場合、上り分岐１０３２の構造は簡単であるが、２ウェイ光中継器１３ａから伝達された警報信号と他の３ウェイ光中継器１０３から伝達される警報信号が同時に印加されると、衝突が発生することがある。
【０１３２】
図１２を参照すると、他の実施例において、上り分岐１０３２は第１光受信ポート１０３１と中継制御部１０３７を電気的に連結し、中継制御部１０３７と第１光送信ポート１０３３を電気的に連結するように結線されることができる。この場合、他の３ウェイ光中継器１０３から伝達された警報信号は、上り分岐１０３２の結線を通じて中継制御部１０３７に伝達される。中継制御部１０３７が他の３ウェイ光中継器１０３から伝達された警報信号と、２ウェイ光中継器１３ａから伝達された警報信号とを結合処理した後、処理された警報信号は上り分岐１０３２の結線を通じて第１光送信ポート１０３３に伝達される。
【０１３３】
図１３を参照すると、上り分岐１０３２は中継制御部１０３７の制御により調整回路で具現され、例えば、二つの警報信号が同時に印加される場合、何れかの信号を優先的に出力し、他の信号を所定の時間遅延させた後に出力させることで衝突を防止したり、またはパケットエンコーダーで具現され、例えば、一つのペイロードに二つの警報信号を積載したパケットにエンコードしてから出力することができる。下り分岐１０３５は２ウェイ光中継器１３ａ〜１３ｍに連結されている消防設備に伝送する制御信号を抽出する検出回路で具現されることができる。
【０１３４】
一方、第２光受信ポート１０３４は、Ｒ型／ＧＲ型受信機１１で起因して光ケーブルを通じて伝達された制御信号を受信し、受信した光制御信号を電気的な制御信号に変換する。下り分岐１０３５は、Ｒ型／ＧＲ型受信機１１で起因した制御信号を中継制御部１０３７と第２光送信ポート１０３６にそれぞれ伝達する。第２光送信ポート１０３６は、伝達された制御信号を光信号に変換してから光ケーブルに出力する。
【０１３５】
下り分岐１０３５は様々な構成で具現されることができる。図１１を参照すると、一実施例では、下り分岐１０３５は単にタップであってよい。この場合、制御信号は第２光送信ポート１０３６と中継制御部１０３７の両方に直接伝達される。
【０１３６】
また、図１２を参照すると、他の実施例において、下り分岐１０３５は第２光受信ポート１０３４と中継制御部１０３７を電気的に連結し、中継制御部１０３７と第２光送信ポート１０３６を電気的に連結するように結線されることができる。この場合、他の３ウェイ光中継器１０３から伝達された制御信号は、下り分岐１０３５の結線を通じて中継制御部１０３７に伝達される。中継制御部１０３７が受信した制御信号を適切に処理して出力すると、処理された制御信号は下り分岐１０３２の結線を通じて第２光送信ポート１０３６に伝達される。このとき、中継制御部１０３７は受信した制御信号をそのまま再び出力してもよく、通信量を減らせるように該当３ウェイ光中継器１０３に関する部分を除去し、制御信号を再び生成して出力してもよい。
【０１３７】
図１３を参照すると、下り分岐１０３５は中継制御部１０３７の制御により動作する検出回路で具現され、例えば、印加される制御信号のうち該当３ウェイ光中継器１０３に相応する制御信号がある時のみ、制御信号を中継制御部１０３７に伝達し、そうでない場合には、制御信号を第２光送信ポート１０３６に伝達することができる。
【０１３８】
図１４は、図１０の光中継Ｒ型／ＧＲ型受信機システムに用いることができる光入出力ポートを示すブロック図である。
【０１３９】
図１４を参照すると、光入出力ポート１０１５は光送信ポート１０１５１と、光受信ポート１０１５２とを含む。光送信ポート１０１５１は、Ｒ型／ＧＲ型受信機１１の電気的な制御信号を光信号に変換して出力する。光受信ポート１０１５２は、光信号形態の警報信号の入力を受け、電気信号に変換してＲ型／ＧＲ型受信機１１に提供する。
【０１４０】
図１５は、本発明の他の実施例による光中継Ｒ型／ＧＲ型受信機システムを概略的に示すブロック図である。
【０１４１】
図１５を参照すると、光中継Ｒ型受信機システム１５０は、Ｒ型／ＧＲ型受信機１１と、単一ポート光変換器１５１と、光ケーブル１２ａ、１２ｂと、３ウェイ光中継器１０３ａ、１０３ｂ...１０３ｎと、２ウェイ光中継器１３ａ...１３ｍと、感知器または発信機１４とを含んでよい。３ウェイ光中継器１０３ａ、１０３ｂ...１０３ｎは互いにデイジー・チェーン方式で連結されており、２ウェイ光中継器１３ａ...１３ｍも互いにデイジー・チェーン方式で連結されている。
【０１４２】
図１５のＲ型／ＧＲ型受信機１１は制御部１１１と、動作点検部１１２と、表示部１１３と、ネットワークインターフェース１１４と、入出力ポート１１６とを含み、図１０のＲ型／ＧＲ型受信機１１と実質的に類似するため、それに関する説明は省略する。但し、入出力ポート１１６は、図１０では光信号で入出力したが、図１５では図６と同様に、ＲＳ４８５／４２２規格、イーサネット（登録商標）規格などの有線通信規格で電気信号を入力及び出力することができる。
【０１４３】
単一ポート光変換器１５１は、Ｒ型／ＧＲ型受信機１１の入出力ポート１１６と光ケーブル１２ａ、１２ｂとの間に連結され、光ケーブル１２ａを通じて受信された光信号形態の警報信号を電気信号に変換してＲ型／ＧＲ型受信機１１の入出力ポート１１６に提供し、Ｒ型／ＧＲ型受信機１１の入出力ポート１１６から出力された制御信号を光信号に変換して光ケーブル１２ｂを通じて出力する。
【０１４４】
３ウェイ光中継器１０３ａ、１０３ｂ...１０３ｎ及び２ウェイ光中継器１３ａ...１３ｍは、図１０と同様または実質的に類似するため、その説明を省略する。
【０１４５】
図１６は、図１６の光中継Ｒ型／ＧＲ型受信機システムに用いることができる単一ポート光変換器を示すブロック図である。
【０１４６】
図１６を参照すると、単一ポート光変換器１５１は光送信ポート１５１１と、光受信ポート１５１２と、入出力ポート１５１３とを含む。入出力ポート１５１３は、Ｒ型／ＧＲ型受信機１１から提供されたＲＳ４８５／４２２規格の差動制御信号をシングルエンド制御信号に変換する。光送信ポート１５１１はシングルエンド制御信号を光信号に変換して出力する。光受信ポート１５１２は光信号形態の警報信号をシングルエンド警報信号に変換して入出力ポート１５１３に提供する。入出力ポート１５１３は、シングルエンド警報信号をＲＳ４８５／４２２規格の差動警報信号に変換してＲ型／ＧＲ型受信機１１に提供する。
【０１４７】
図１７は、本発明の一実施例による光中継Ｒ型／ＧＲ型受信機システムを概略的に示すブロック図である。
【０１４８】
図１７を参照すると、光中継Ｒ型／ＧＲ型受信機システム１７０は、Ｒ型／ＧＲ型受信機１７１と、光ケーブル１２と、光中継器１７３ａ、１７３ｂ...１７３ｎと、感知器または発信機１４と、防災設備１５とを含んでよい。光中継器１７３ａ、１７３ｂ...１７３ｎは、デイジー・チェーン形式で連結されている。
【０１４９】
具体的には、図１７のＲ型／ＧＲ型受信機１７１は、図１、図１０の受信機１１と実質的に類似する。但し、図１及び図１０の受信機１１の光入出力ポート１１５とは異なって、光入出力ポート１７１５が単一光ケーブル１２を通じて上り信号及び下り信号を入出力する。Ｒ型／ＧＲ型受信機１７１の光入出力ポート１７１５は、感知器または発信機１４で発生した警報信号を光ケーブル１２を通じて上り光信号の形態で受信し、電気信号に変換して制御部１７１１に伝達する。また、管制センターから各防災設備に伝達するように提供された制御信号の伝達を制御部１７１１から受け、下り光信号に変換してから光ケーブル１２を通じて送信することができる。
【０１５０】
Ｒ型／ＧＲ型受信機１７１で起因した制御信号を各光中継器１７３を経て防災設備１５まで伝播する経路は下り信号経路であり、感知器または発信機１４で起因した警報信号を光中継器１７３を経てＲ型／ＧＲ型受信機１７１に伝播する経路は上り信号経路であると言える。
【０１５１】
光ケーブル１２は、Ｒ型／ＧＲ型受信機１７１に向かう警報信号を含む上り光信号と、Ｒ型／ＧＲ型受信機１７１から出力された制御信号を含む下り光信号とを伝達する媒体である。上り光信号と下り光信号は、異なる周波数を有する光信号であるか、異なるチャンネルコーディング方式でエンコードされた光信号であってよい。
【０１５２】
光中継器１７３ａ、１７３ｂ...１７３ｎは互いに光ケーブル１２を通じて光学的に連結され、それぞれ一つ以上の感知器または発信機１４に電気的に連結されている。感知器または発信機１４は、例えば、建物内の一つの業務区画、一階などにグループ化され、一つの光中継器１７３に単純な直流信号線またはＲＳ４８５／４２２ワイヤで連結されることができる。光中継器１７３ａ、１７３ｂ...１７３ｎは、例えば、消火栓、スプリンクラー、ハロゲン消火器などの消防設備と、ダンパー、防火戸、防火シャッター、排煙窓のような除煙設備、その他に避難誘導灯のような防災設備１５に電気的に連結されてよい。
【０１５３】
光中継器１７３ａ、１７３ｂ...１７３ｎはデイジー・チェーン方式で連結されており、次番の光中継器１７３から伝達された警報信号、または感知器または発信機１４で発生した警報信号を、実施例によって、選択的に、または受信された警報信号を結合して前番の光中継器１７３に伝達する。また、光中継器１７３ａ、１７３ｂ...１７３ｎは、Ｒ型／ＧＲ型受信機１７１から伝達された制御信号または前番の光中継器１７３を通じて伝達された制御信号を、その制御信号が目的とする消防、除煙、その他防災設備１５に伝達したり、次番の光中継器１７３に伝達する。
【０１５４】
本発明の光中継器１７３ａ、１７３ｂ...１７３ｎは他の光中継器１７３とは光学的に連結され、感知器または発信機１４や防災設備とは電気的に連結されてよい。即ち、光中継器１７３は、受信した光信号を先ず電気信号に変換して処理し、処理された電気信号を光信号に変換して出力する。
【０１５５】
感知器または発信機１４は、通常の火災、煙、熱、ガス感知器、または人が直接ボタンを押して警報を発生させるボタン型発信機であってよい。感知器または発信機１４は、電気的な警報信号を発生させて光中継器１７３に送信することができる。商業的に簡単に購入できる感知器または発信機１４は、通常、ＲＳ４８５／４２２で規定された差動信号の形態で警報信号を発生させることができる。この場合、光中継器１７３もＲＳ４８５／４２２入出力ポートを備え、これを通じて警報信号を受信することができる。また、他の形態の商業的に簡単に購入できる感知器または発信機１４は、ＤＣ２４Ｖのシングルエンド直流信号の形態で警報信号を発生させることができる。この場合、光中継器１７３も直流入出力ポートを備え、これを通じて警報信号を受信することができる。
【０１５６】
実施例によっては、感知器または発信機１４も警報信号を光信号で出力し、光中継器１７３と光ケーブルを通じて連結されることができる。
【０１５７】
図１８、図１９、図２０は、図１７の光中継Ｒ型／ＧＲ型受信機システムに用いることができる２ウェイ光中継器を示すブロック図である。
【０１５８】
図１８、図１９、図２０を参照すると、光中継器１７３は第１光送受信モジュール１７３１と、第２光送受信モジュール１７３２と、上り分岐１７３３と、下り分岐１７３４と、中継制御部１７３５と、入出力ポート１７３６とを含んでよい。図１８、図１９、図２０において、それぞれ上り分岐１７３３と下り分岐１７３４の構造は異なり、光中継器１７３の残りの構成要素は実質的に同一であるとみることができる。
【０１５９】
第１及び第２光送受信モジュール１７３１、２０３２は、一つの光ケーブル１２を通じて両方向に光信号を送受信することができる。両方向光送受信モジュールで送信される光信号と受信される光信号の周波数は互いに異なってよい。図２１〜図２３に例示された光送受信モジュールは、Ｙ字形分岐の導波管と誘電体反射板を利用して送信される光信号と受信される光信号を分離する。送信の場合、レーザーダイオードなどからなる光送信ユニットで発生した光信号が導波管を通じて光ケーブルまで導かれる。受信の場合、光ケーブルから入射された光信号が導波管を通じて伝播し、誘電体反射板で反射されて光受信ユニットまで導かれる。
【０１６０】
第１光送受信モジュール１７３１の光受信ユニット、上り分岐１７３３、第２光送受信モジュール１７３２の光送信ユニットは上り信号経路を構成し、他の光中継器から伝達された警報信号及び該当光中継器１７３に連結されている感知器または発信機１４から入力される警報信号を、Ｒ型／ＧＲ型受信機１１の方に伝達する。一方、第２光送受信モジュール１７３２の光受信ユニット、下り分岐１７３４、第１光送受信モジュール１７３１の光送信ユニットは下り信号経路を構成し、Ｒ型／ＧＲ型受信機１１で起因した制御信号を他の光中継器１７３と中継制御部１７３５に伝達する。
【０１６１】
中継制御部１７３５は、感知器または発信機１４から伝達された警報信号が適切な信号であるかを判断し、上り分岐１７３３に伝達する。また、中継制御部１７３５は下り分岐１７３４から伝達された制御信号が該当光中継器１７３に連結されている防災設備に関するものであるかを判断し、該当制御信号が該当光中継器１７３に連結されている防災設備に関するものであれば、その防災設備に伝達する。
【０１６２】
中継制御部１７３５と感知器または発信機１４は、入出力ポート１７３６を通じてＲＳ４８５／４２２規格またはＤＣ２４Ｖ信号線で連結されてよい。実施例によっては、入出力ポート１７３６は光入出力ポートであってよく、この場合、感知器または発信機１４と光ケーブルで連結されることができる。
【０１６３】
具体的に説明すると、第１光送受信モジュール１７３１の光受信ユニットは、他の光中継器から光ケーブルを通じて伝達された上り光信号を受信し、受信した上り光信号を電気的な上り電気信号に変換する。上り分岐１７３３は、感知器または発信機１４で発生して中継制御部１７３５を通じて伝達される警報信号と、第１光送受信モジュール１７３１の光受信ユニットで変換された上り電気信号とを結合した後、上り結合電気信号を第２光送受信モジュール１７３２の光送信ユニットに伝達する。第２光送受信モジュール１７３２は、伝達された上り結合電気信号を上り結合光信号に変換してから光ケーブルに出力する。
【０１６４】
上り分岐１７３３は様々な構成で具現されることができる。図１８を参照すると、一実施例では、上り分岐１７３３は単に二つの導線を連結したタップ（ｔａｐ）であってよい。この場合、上り分岐１７３３の構造は簡単であるが、感知器または発信機１４で発生した警報信号と他の中継器１７３から伝達される警報信号が同時に印加されると、衝突が発生することがある。
【０１６５】
図１９を参照すると、他の実施例において、上り分岐１７３３は第１光送受信モジュール１７３１の光受信ユニットと中継制御部１７３５を電気的に連結し、中継制御部１７３５と第２光送受信モジュール１７３２の光送信ユニットを電気的に連結するように結線されることができる。この場合、他の光中継器１７３から伝達された上り信号は、上り分岐１７３３の結線を通じて中継制御部１７３５に伝達され、中継制御部１７３５が上り電気信号と警報信号を結合処理した後、処理された結合電気信号は上り分岐１７３３の結線を通じて第２光送受信モジュール１７３２の光送信ユニットに伝達される。
【０１６６】
図２０を参照すると、上り分岐１７３３は調整回路で具現され、例えば、他の光中継器１７３と感知器または発信機１４から警報信号が同時に印加される場合、何れかの信号を優先的に出力し、他の信号を所定の時間遅延させた後に出力させることで衝突を防止したり、または、パケットエンコーダーで具現され、例えば、一つのペイロードに二つの警報信号を積載したパケットにエンコードしてから出力することができる。下り分岐１７３４は、該当光中継器１７３に連結されている防災設備に伝送する制御信号を抽出する検出回路で具現されることができる。
【０１６７】
一方、第２光送受信モジュール１７３２の光受信ユニットは、Ｒ型／ＧＲ型受信機１７１で起因した制御信号が光ケーブルを通じて伝達される下り光信号を受信し、受信した下り光信号を電気的な下り電気信号に変換する。下り電気信号は、Ｒ型／ＧＲ型受信機１７１で起因した制御信号と実質的に同一信号である。下り分岐１７３４は、上記下り電気信号を中継制御部１７３５と第１光送受信モジュール１７３１の光送信ユニットにそれぞれ伝達する。第１光送受信モジュール１７３１の光送信ユニットは、伝達された下り電気信号を下り光信号に変換してから光ケーブル１２に出力する。
【０１６８】
下り分岐１７３４は様々な構成で具現されることができる。図１８を参照すると、一実施例では、下り分岐１７３４は単にタップであってよい。この場合、下り電気信号である制御信号は、第１光送受信モジュール１７３１の光送信ユニットと中継制御部１７３５に伝達される。
【０１６９】
図１９を参照すると、他の実施例において、下り分岐１７３４は、第２光送受信モジュール１７３２の光受信ユニットと中継制御部１７３５を電気的に連結し、中継制御部１７３５と第１光送受信モジュール１７３１の光送信ユニットを電気的に連結するように結線されることができる。この場合、他の光中継器１７３から伝達された下り電気信号内の制御信号は、下り分岐１７３４の結線を通じて中継制御部１７３５に伝達される。中継制御部１７３５が受信した制御信号を適切に処理して出力すると、処理された制御信号は下り分岐１７３４の結線を通じて第１光送受信モジュール１７３１の光送信ユニットに伝達される。このとき、中継制御部１７３５は、受信された制御信号をそのまま再び出力してもよく、該当光中継器１７３に関する部分を除去した制御信号を再び生成して出力してもよい。
【０１７０】
図２０を参照すると、下り分岐１７３４は検出回路で具現され、例えば、印加される制御信号のうち該当光中継器１７３に相応する制御信号がある時のみ、制御信号を中継制御部１７３５に伝達し、そうでない場合には、制御信号を第２光送受信モジュール１７３１の光送信ユニットに伝達することができる。
【０１７１】
図２１は、図１７の光中継Ｒ型／ＧＲ型受信機システムに用いることができる光入出力ポートを示すブロック図である。
【０１７２】
図２１を参照すると、光入出力ポート１７１５は光送受信モジュール１７１５１を含む。光送受信モジュール１７１５１の光送信ユニットは、Ｒ型／ＧＲ型受信機１７１の電気的な制御信号を下り光信号に変換して出力する。光送受信モジュール１７１５１の光受信ユニットは、警報信号を含む上り光信号の入力を受け、電気信号に変換してＲ型／ＧＲ型受信機１７１に提供する。
【０１７３】
図２２は、本発明の他の実施例による光中継Ｒ型／ＧＲ型受信機システムを概略的に示すブロック図である。
【０１７４】
図２２を参照すると、光中継Ｒ型受信機システム２２０はＲ型／ＧＲ型受信機１１と、単一ポート光変換器２２１と、光ケーブル１２と、２ウェイポート光変換器２２３ａ、２２３ｂ...２２３ｎと、中継器６４ａ、６４ｂ...６４ｎと、感知器または発信機１４とを含んでよい。光変換器２２３ａ、２２３ｂ...２２３ｎはデイジー・チェーン形式で連結されている。
【０１７５】
中継器６４ａ、６４ｂ...６４ｎは、通常の電気信号を利用して中継することができるが、実施例によっては光信号を利用して中継することもできる。
【０１７６】
Ｒ型／ＧＲ型受信機１１は制御部１１１と、動作点検部１１２と、表示部１１３と、ネットワークインターフェース１１４と、入出力ポート１１６とを含み、図１７のＲ型／ＧＲ型受信機１７１と実質的に類似するため、それに関する説明は省略する。但し、入出力ポート１１６は、図１７において光信号で入出力する光入出力ポート１１５に相応する要素ではあるが、図２２では図６及び図１５と同様に、ＲＳ４８５／４２２規格で電気信号を入力及び出力することができる。
【０１７７】
単一ポート光変換器２２１は、Ｒ型／ＧＲ型受信機１１の入出力ポート１１６と光ケーブル１２との間に連結され、光ケーブル１２を通じて受信された上り光信号形態の警報信号を電気信号に変換してＲ型／ＧＲ型受信機１１の入出力ポート１１６に提供し、Ｒ型／ＧＲ型受信機１１の入出力ポート１１６から出力された制御信号を下り光信号に変換して光ケーブル１２を通じて出力する。図１７の光入出力ポート１１５は、図２２の入出力ポート１１６と単一ポート光変換器２２１を合わせたものと実質的に同一であると言える。
【０１７８】
２ウェイポート光変換器２２３は、光ケーブル１２を通じて光変換器２２３間の信号送信、または中継器６４と受信機１１間の信号送信を行うことができる。また、中継器６４とはＲＳ４８５／４２２通信で連結され、警報信号の送信を行うことができる。
【０１７９】
中継器６４は、ＲＳ４８５／４２２通信規格を利用する従来の中継器であってよく、感知器または発信機１４も従来の感知器または発信機であってよく。
【０１８０】
図２３、図２４は、図２２の光中継Ｒ型／ＧＲ型受信機システムに用いることができる２ウェイポート光中継器を示すブロック図である。
【０１８１】
図２３、図２４を参照すると、２ウェイ光変換器２２３は第１光送受信モジュール２２３１と、第２光送受信モジュール２２３２と、上り分岐２２３３と、下り分岐２２３４と、入出力ポート２２３５とを含んでよい。図２３、図２４において、上り分岐２２３３と下り分岐２２３４の内部構造を除き、２ウェイ光変換器２２３の残りの構成要素は実質的に同一であるとみることができる。
【０１８２】
第１光送受信モジュール２２３１の光受信ユニット、上り分岐２２３３、第２光送受信モジュール２２３２の光送信ユニットは上り信号経路を構成する。第２光送受信モジュール２２３２の光受信ユニット、下り分岐２２３４、第１光送受信モジュール２２３１の光送信ユニットは下り信号経路を構成する。
【０１８３】
入出力ポート２２３５は、中継器６４を通じて感知器または発信機１４から入力されたＲＳ４８５／４２２規格の警報信号またはＤＣ２４Ｖの直流信号を光信号に変換するのに適したシングルエンド信号に変換して上り分岐２２３３に伝達する。また、入出力ポート２２３５は、下り分岐２２３４から伝達されたシングルエンド制御信号をＲＳ４８５／４２２規格の制御信号またはＤＣ２４Ｖの直流信号に変換して出力する。
【０１８４】
具体的に説明すると、第１光送受信モジュール２２３１の光受信ユニットは、他の光変換器から光ケーブル１２を通じて伝達された上り光信号を受信し、受信した上り光信号を電気的な上り電気信号に変換する。上り分岐２２３３は、感知器または発信機１４で発生して入出力ポート２２３５を通じて伝達される警報信号と、第１光送受信モジュール２２３１の光受信ユニットで変換された上り電気信号とを結合した後、結合された上り結合電気信号を第２光送受信モジュール２２３２の光送信ユニットに伝達する。第２光送受信モジュール２２３２の光送信ユニットは、伝達された上り結合電気信号を上り光信号に変換してから光ケーブル１２に出力する。
【０１８５】
上り分岐２２３３は様々な構成で具現されることができる。図２３を参照すると、一実施例では、上り分岐２２３３は単にタップ（ｔａｐ）であってよい。この場合、上り分岐２２３３の構造は簡単であるが、感知器または発信機１４で発生して中継器６４を通じて伝達された警報信号と他の光変換器２２３から伝達された警報信号が同時に印加されると、衝突が発生することがある。
【０１８６】
図２４を参照すると、上り分岐２２３３は調整回路で具現され、例えば、二つの警報信号が同時に印加される場合、何れかの信号を優先的に出力し、他の信号を所定の時間遅延させた後に出力させることで衝突を防止したり、またはパケットエンコーダーで具現され、例えば、一つのペイロードに二つの警報信号を積載したパケットにエンコードしてから出力することができる。
【０１８７】
一方、第２光送受信モジュール２２３２の光受信ユニットは、Ｒ型／ＧＲ型受信機１１で起因して他の２ウェイ光変換器２２３及び光ケーブル１２を通じて伝達された制御信号を含む下り光信号を受信し、受信した下り光信号を電気的な下り電気信号に変換する。下り分岐２２３４は、Ｒ型／ＧＲ型受信機１１で起因した制御信号を入出力ポート２２３５と第１光送受信モジュール２２３１の光送信ユニットにそれぞれ伝達する。第１光送受信モジュール２２３１の光送信ユニットは、伝達された下り電気信号を下り光信号に変換してから光ケーブル１２に出力する。
【０１８８】
下り分岐２２３４は様々な構成で具現されることができる。また、図２３を参照すると、一実施例では、下り分岐２２３４は単にタップであってよい。この場合、制御信号は、第１光送受信モジュール２２３１の光送信ユニットと入出力ポート２２３５に伝達される。
【０１８９】
また、図２４を参照すると、他の実施例において、下り分岐２２３４は検出回路で具現され、例えば、印加される制御信号のうち該当２ウェイ光変換器２２３に相応する制御信号がある時のみ、制御信号を入出力ポート２２３５に伝達し、そうでない場合には、制御信号を第１光送受信モジュール２２３１の光送信ユニットのみに伝達することができる。
【０１９０】
図２５は、図２２の光中継Ｒ型／ＧＲ型受信機システムに用いることができる単一ポート光変換器を示すブロック図である。
【０１９１】
図２５を参照すると、単一ポート光変換器２２１は光送受信モジュール２２１１と、入出力ポート２２１２とを含む。入出力ポート２２１２は、Ｒ型／ＧＲ型受信機１１から提供されたＲＳ４８５／４２２規格の差動制御信号をシングルエンド制御信号に変換する。光送受信モジュール２２１１は、シングルエンド制御信号を下り光信号に変換し、上り光信号の警報信号を電気的なシングルエンド警報信号に変換して入出力ポート２２１２に提供する。入出力ポート２２１２は、シングルエンド警報信号をＲＳ４８５／４２２規格の差動警報信号に変換してＲ型／ＧＲ型受信機１１に提供する。
【０１９２】
図２６は、本発明の一実施例による光中継Ｒ型／ＧＲ型受信機システムを概略的に示すブロック図である。
【０１９３】
図２６を参照すると、光中継Ｒ型／ＧＲ型受信機システム２６０は、Ｒ型／ＧＲ型受信機１７１と、光ケーブル１２と、３ウェイ光中継器２６３ａ、２６３ｂ...２６３ｎと、２ウェイ光中継器１７３ａ...１７３ｍと、感知器または発信機１４と、防災設備１５とを含んでよい。３ウェイ光中継器２６３ａ、２６３ｂ...２６３ｎは互いにデイジー・チェーン方式で連結されており、２ウェイ光中継器１７３ａ...１７３ｍも互いにデイジー・チェーン方式で連結されている。
【０１９４】
具体的には、Ｒ型／ＧＲ型受信機１７１は、図１７の受信機１７１と同一であるため、その説明を省略する。
【０１９５】
Ｒ型／ＧＲ型受信機１７１で起因した制御信号をそれぞれの３ウェイ光中継器２６３及び２ウェイ光中継器１７３を経て防災設備１５まで伝播する経路は下り信号経路であり、感知器または発信機１４で起因した警報信号を２ウェイ光中継器１７３及び３ウェイ光中継器２６３を経てＲ型／ＧＲ型受信機１７１に伝播する経路は上り信号経路であると言える。
【０１９６】
実施例によっては、Ｒ型／ＧＲ型受信機１７１は従来のように、ＲＳ４８５またはＲＳ４２２入出力ポートを有することもできるが、この場合、光入出力ポート１７１５が別途の装置で、例えば、単一ポート光変換器で構成され、Ｒ型／ＧＲ型受信機１７１の外部でＲＳ４８５／４２２入出力ポートに連結されるように装着されることができ、光信号をＲＳ４８５／４２２信号に変換してＲ型／ＧＲ型受信機１７１に伝達したり、Ｒ型／ＧＲ型受信機１７１から出力されたＲＳ４８５／４２２差動信号を光信号に変換して伝達することができる。
【０１９７】
光ケーブル１２は、Ｒ型／ＧＲ型受信機１７１に向かう警報信号を含む上り光信号と、Ｒ型／ＧＲ型受信機１７１から出力された制御信号を含む下り光信号とを伝達する媒体である。上り光信号と下り光信号は、異なる周波数を有する光信号または異なるチャンネルコーディング方式でエンコードされた光信号であることができる。
【０１９８】
３ウェイ光中継器２６３ａ、２６３ｂ...２６３ｎは互いに光ケーブル１２を通じて光学的に連結され、それぞれ２ウェイ光中継器１７３ａに光ケーブル１２を通じて光学的に連結されている。
【０１９９】
３ウェイ光中継器２６３ａ、２６３ｂ...２６３ｎはデイジー・チェーン方式で連結されており、上り信号経路では、次番の３ウェイ光中継器２６３から光学的に伝達された警報信号または２ウェイ光中継器１７３ａから光学的に伝達された警報信号を、実施例によって、選択的に、または受信された警報信号を結合して前番の３ウェイ光中継器２６３に伝達する。また、それぞれの３ウェイ光中継器２６３ａ、２６３ｂ...２６３ｎは、下り信号経路では、Ｒ型／ＧＲ型受信機１７１から光学的に伝達された制御信号または前番の３ウェイ光中継器２６３を通じて光学的に伝達された制御信号を、その制御信号が目的とする消防、除煙、その他防災設備１５が連結されている２ウェイ光中継器１７３ａ...１７３ｍに光学的に伝達したり、次番の３ウェイ光中継器２６３に光学的に伝達する。
【０２００】
本発明の３ウェイ光中継器２６３ａ、２６３ｂ...２６３ｎはそれぞれ他の３ウェイ光中継器２６３と光学的に連結され、また、２ウェイ光中継器１７３ａと光学的に連結されることができる。３ウェイ光中継器２６３は、受信した光信号を内部で先ず電気信号に変換して処理し、処理された電気信号を再び光信号に変換して出力する。
【０２０１】
２ウェイ光中継器１７３は、複数のデイジー・チェーン連結された２ウェイ光中継器１７３ａ...１７３ｍを含む。２ウェイ光中継器１７３ａ...１７３ｍは互いに光ケーブル１２を通じて光学的に連結され、それぞれ一つ以上の感知器または発信機１４に電気的に連結されている。感知器または発信機１４は、例えば、建物内の一つの業務区画、一階などにグループ化され、一つの光中継器１７３に単純な直流信号線またはＲＳ４８５／４２２ワイヤで連結されることができる。２ウェイ光中継器１７３ａ...１７３ｍは、例えば、消火栓、スプリンクラー、ハロゲン消火器などの消防設備、ダンパー、防火戸、防火シャッター、排煙窓のような除煙設備、その他に避難誘導灯のような防災設備１５に電気的に連結されてよい。
【０２０２】
２ウェイ光中継器１７３ａ...１７３ｍは、上り信号経路では、次番の２ウェイ光中継器１７３から光学的に伝達された警報信号、または感知器または発信機１４で発生した電気的な警報信号を、実施例によって、選択的に、または受信された警報信号を結合して前番の２ウェイ光中継器１７３ａ...１７３ｍに伝達したり、それ自体と連結されている３ウェイ光中継器２６３に光学的に伝達する。また、２ウェイ光中継器１７３ａ...１７３ｍは、下り信号経路でそれ自体と連結されている３ウェイ光中継器２６３から光学的に伝達された制御信号、または前番の２ウェイ光中継器１７３を通じて光学的に伝達された制御信号を、その制御信号が目的とする消防、除煙、その他防災設備１５に電気的に伝達したり、次番の２ウェイ光中継器１７３に光学的に伝達する。
【０２０３】
本発明の２ウェイ光中継器１７３ａ...１７３ｍは他の２ウェイ光中継器１７３ａ...１７３ｍとは光学的に連結され、感知器または発信機１４や防災設備１５とは電気的に連結されてよい。即ち、２ウェイ光中継器１７３ａ...１７３ｍは、受信した光信号を先ず電気信号に変換して処理し、このように処理された電気信号を光信号に変換して出力する。
【０２０４】
実施例によっては、感知器または発信機１４も警報信号を光信号で出力し、２ウェイ光中継器１７３ａ...１７３ｍと光ケーブルを通じて連結されることができる。
【０２０５】
図２７、図２８、図２９は、図２６の光中継Ｒ型／ＧＲ型受信機システム２６０に用いることができる３ウェイ光中継器２６３を示すブロック図である。
【０２０６】
図２７、図２８、図２９を参照すると、３ウェイ光中継器２６３は第１光送受信モジュール２６３１と、第２光送受信モジュール２６３２と、上り分岐２６３３と、下り分岐２６３４と、中継制御部２６３５と、第３光送受信モジュール２６３６とを含んでよい。図２７、図２８、図２９において、上り分岐２６３３と下り分岐２６３４の構造が異なり、３ウェイ光中継器２６３の残りの構成要素は実質的に同一であるとみることができる。また、図２７〜図２９の第１光送受信モジュール２６３１、第２光送受信モジュール２６３２、上り分岐２６３３、下り分岐２６３４は、図２１〜図２３の第１光送受信モジュール１７３１、第２光送受信モジュール１７３２、上り分岐１７３３、下り分岐１７３４と実質的に同一であるため、その説明を省略する。
【０２０７】
中継制御部２６３５は、２ウェイ光中継器１７３から光ケーブル１２を通じて伝達された警報信号が適切な信号であるかを判断し、上り分岐２６３３に伝達する。また、中継制御部２６３５は、下り分岐２６３４から伝達された制御信号が該当３ウェイ光中継器２６３を通じて連結されている２ウェイ光中継器１７３に連結されている防災設備１５に関するものであるかを判断し、該当制御信号が該当２ウェイ光中継器１７３に連結されている防災設備１５に関するものであれば、その防災設備１５に伝達する。
【０２０８】
具体的に説明すると、第１光送受信モジュール２６３１の光受信ユニットは、他の光中継器から光ケーブルを通じて伝達された上り光信号を受信し、受信した上り光信号を電気的な上り電気信号に変換する。上り分岐２６３３は、感知器または発信機１４で発生して中継制御部２６３５を通じて伝達される警報信号と、第１光送受信モジュール２６３１の光受信ユニットで変換された上り電気信号とを結合した後、上り結合電気信号を第２光送受信モジュール２６３２の光送信ユニットに伝達する。第２光送受信モジュール２６３２は、伝達された上り結合電気信号を上り結合光信号に変換してから光ケーブルに出力する。
【０２０９】
第３光送受信モジュール２６３６は、光受信ユニットで２ウェイ光中継器１７３ａから伝達された光警報信号を電気信号に変換して中継制御部２６３５に伝達する。中継制御部２６３５は、２ウェイ光中継器１７３ａから第３光送受信モジュール２６３６を通じて伝達された警報信号が適切な信号であるかを判断し、これを上り分岐２６３３に伝達する。また、中継制御部２６３５は、下り分岐２６３４から伝達された制御信号がその３ウェイ光中継器２６３により中継される２ウェイ光中継器１７３ａ〜２０４ｍに連結されている防災設備に関するものであるかを判断し、該当制御信号が該当２ウェイ光中継器１７３ａ〜１７３ｍに連結されている防災設備に関するものであれば、制御信号を第３光送受信モジュール２６３６に出力する。第３光送受信モジュール２６３６は、光送信ユニットで制御信号を光信号に変換して２ウェイ光中継器１７３ａに出力する。
【０２１０】
上り分岐２６３３は様々な構成で具現されることができる。図２７を参照すると、一実施例では、上り分岐２６３３は単に二つの導線を連結したタップ（ｔａｐ）であってよい。この場合、上り分岐２６３３の構造は簡単であるが、感知器または発信機１４で発生した警報信号と他の中継器２６３から伝達された警報信号が同時に印加されると、衝突が発生することがある。
【０２１１】
図２８を参照すると、他の実施例において、上り分岐２６３３は第１光送受信モジュール２６３１の光受信ユニットと中継制御部２６３５を電気的に連結し、中継制御部２６３５と第２光送受信モジュール２６３２の光送信ユニットを電気的に連結するように結線されることができる。この場合、他の光中継器２６３から伝達された上り信号は、上り分岐２６３３の結線を通じて中継制御部２６３５に伝達され、中継制御部１７３５が上り電気信号と警報信号を結合処理した後、処理された結合電気信号は上り分岐２６３３の結線を通じて第２光送受信モジュール２６３２の光送信ユニットに伝達される。
【０２１２】
図２９を参照すると、上り分岐２６３３は調整回路で具現され、例えば、他の３ウェイ光中継器２６３と感知器または発信機１４から警報信号が同時に印加される場合、何れかの信号を優先的に出力し、他の信号を所定の時間遅延させた後に出力させることで衝突を防止したり、またはパケットエンコーダーで具現され、例えば、一つのペイロードに二つの警報信号を積載したパケットにエンコードしてから出力することができる。下り分岐２６３４は、該当３ウェイ光中継器２６３及び２ウェイ光中継器１７３に連結されている防災設備に伝送する制御信号を抽出する検出回路で具現されることができる。
【０２１３】
一方、第２光送受信モジュール２６３２の光受信ユニットは、Ｒ型／ＧＲ型受信機１７１で起因した制御信号が光ケーブルを通じて伝達される下り光信号を受信し、受信した下り光信号を電気的な下り電気信号に変換する。下り電気信号は、Ｒ型／ＧＲ型受信機１７１で起因した制御信号と実質的に同一信号である。下り分岐２６３４は、上記下り電気信号を中継制御部２６３５と第１光送受信モジュール２６３１の光送信ユニットにそれぞれ伝達する。第１光送受信モジュール２６３１の光送信ユニットは、伝達された下り電気信号を下り光信号に変換してから光ケーブル１２に出力する。
【０２１４】
下り分岐２６３４は様々な構成で具現されることができる。図２７を参照すると、一実施例では、下り分岐２６３４は単にタップであってよい。この場合、下り電気信号である制御信号は、第１光送受信モジュール２６３１の光送信ユニットと中継制御部２６３５に伝達される。
【０２１５】
図２８を参照すると、他の実施例において、下り分岐２６３４は第２光送受信モジュール２６３２の光受信ユニットと中継制御部２６３５を電気的に連結し、中継制御部２６３５と第１光送受信モジュール２６３１の光送信ユニットを電気的に連結するように結線されることができる。この場合、他の光中継器２６３から伝達された下り電気信号内の制御信号は、下り分岐２６３４の結線を通じて中継制御部２６３５に伝達される。中継制御部２６３５が受信した制御信号を適切に処理して出力すると、処理された制御信号は下り分岐２６３４の結線を通じて第１光送受信モジュール２６３１の光送信ユニットに伝達される。このとき、中継制御部１７３５は、受信した制御信号をそのまま再び出力してもよく、該当光中継器２６３に関する部分を除去した制御信号を再び生成して出力してもよい。
【０２１６】
図２９を参照すると、下り分岐２６３４は検出回路で具現され、例えば、印加される制御信号のうち該当光中継器２６３に相応する制御信号がある時のみ、制御信号を中継制御部２６３５に伝達し、そうでない場合には、制御信号を第２光送受信モジュール２６３１の光送信ユニットに伝達することができる。
【０２１７】
以上において、本発明は限定された実施例と図面により説明されたが、本発明は上記の実施例に限定されず、本発明が属する分野で通常の知識を有する者であれば、このような記載から多様な修正及び変形が可能である。従って、本発明の思想は添付の特許請求の範囲によってのみ把握されなければならず、これと均等または等価的な変形の全ては、本発明の思想の範疇に属するであろう。
［項目１］
複数の感知器／発信機または防災設備とＲ型／ＧＲ型受信機との間を光ケーブルを利用してデイジー・チェーン（ｄａｉｓｙ−ｃｈａｉｎ）連結する光変換器であって、
デイジー・チェーン連結された、後の光変換器から光学的に伝達された信号を電気的に変換した電気信号と、前記感知器または発信機で起因した警報信号とを電気的に結合し、前記電気的に結合された信号を光学的に変換した光信号を出力する上り信号経路と、
デイジー・チェーン連結された、前の光変換器から光学的に伝達された信号を電気的に変換し、変換された電気信号を光学的に変換した光信号を出力する下り信号経路と、
複数の感知器／発信機から受信された前記警報信号を前記上り信号経路に提供し、前記下り信号経路で変換された前記電気信号を外部に出力する入出力ポートを含み、
前記上り信号経路が伝達する光信号は、最終的に前記Ｒ型／ＧＲ型受信機に伝達され、前記下り信号経路が伝達する光信号は前記Ｒ型／ＧＲ型受信機で起因したものであることを特徴とする光変換器。
［項目２］
前記上り信号経路は、
デイジー・チェーン連結された、後の光変換器から光学的に伝達された信号を電気的に変換した電気信号を出力する第１光受信ポートと、
前記第１光受信ポートから出力された電気信号と感知器または発信機で起因した警報信号とを電気的に結合した電気信号を出力する上り分岐と、
前記上り分岐から出力された電気信号を光学的に変換した光信号で出力する第１光送信ポートを含むことを特徴とする項目１に記載の光変換器。
［項目３］
前記上り分岐は、前記第１光受信ポートの出力導線と前記警報信号が伝達される導線を連結したタップであることを特徴とする項目２に記載の光変換器。
［項目４］
前記上り分岐は、前記第１光受信ポートから出力された電気信号と感知器または発信機で起因した警報信号を同時に受信する場合、何れかの信号を遅延させることで、二つの信号を順に出力する調整回路であることを特徴とする項目２に記載の光変換器。
［項目５］
前記上り分岐は、前記第１光受信ポートから出力された電気信号と感知器または発信機で起因した警報信号を同時に受信する場合、一つのパケットにエンコードして出力するパケットエンコーダーであることを特徴とする項目２に記載の光変換器。
［項目６］
前記入出力ポートは、
前記感知器または発信機からＲＳ４８５またはＲＳ４２２規格の差動信号またはＤＣ２４Ｖの直流信号を受信し、シングルエンド警報信号に変換して前記上り信号経路に提供する入力ポートと、
前記下り信号経路で変換された電気信号をＲＳ４８５またはＲＳ４２２規格の差動信号またはＤＣ２４Ｖの直流信号に変換して外部に出力する出力ポートとを含むことを特徴とする項目１に記載の光変換器。
［項目７］
前記下り信号経路は、
デイジー・チェーン連結された、前の光変換器から光学的に伝達された信号を電気的に変換した電気信号を出力する第２光受信ポートと、
前記第２光受信ポートから出力された電気信号を前記入出力ポートと第２光送信ポートに提供する下り分岐と、
前記下り分岐から出力された電気信号を光学的に変換して出力する前記第２光送信ポートとを含むことを特徴とする項目１に記載の光変換器。
［項目８］
前記下り分岐は、前記第２光受信ポートの出力導線と前記入出力ポートに連結される導線を連結したタップであることを特徴とする項目７に記載の光変換器。
［項目９］
前記下り分岐は、前記第２光受信ポートから出力された電気信号のうち、前記防災設備の一つに伝達される制御信号を検出して前記入出力ポートに出力する検出回路を含むことを特徴とする項目７に記載の光変換器。
［項目１０］
複数の感知器／発信機または防災設備とＲ型／ＧＲ型受信機との間を光ケーブルを利用してデイジー・チェーン連結する光中継器であって、
デイジー・チェーン連結された、後の光変換器から光学的に伝達された信号を電気的に変換した電気信号と、感知器または発信機で起因した警報信号とを電気的に結合し、前記電気的に結合された信号を光学的に変換した光信号を出力する上り信号経路と、
デイジー・チェーン連結された、前の光変換器から光学的に伝達された信号を電気的に変換し、変換された電気信号を光学的に変換した光信号を出力する下り信号経路と、
入出力ポートから受信された警報信号を前記上り信号経路に提供し、前記下り信号経路で変換された電気信号のうち制御信号を抽出して前記入出力ポートに送信する中継制御部と、
前記感知器または発信機と電気的に連結され、前記感知器または発信機から警報信号を受信し、前記制御信号を相応する防災設備に出力する前記入出力ポートを含み、前記上り信号経路が伝達する光信号は、最終的にＲ型／ＧＲ型受信機に伝達され、前記下り信号経路が伝達する光信号は前記Ｒ型／ＧＲ型受信機で起因したものであることを特徴とする光中継器。
［項目１１］
前記上り信号経路は、
デイジー・チェーン連結された、後の光変換器から光学的に伝達された信号を電気的に変換した電気信号を出力する第１光受信ポートと、
前記第１光受信ポートから出力された電気信号と、感知器または発信機で起因した警報信号とを電気的に結合した電気信号を出力する上り分岐と、
前記上り分岐から出力された電気信号を光学的に変換した光信号で出力する第１光送信ポートを含むことを特徴とする項目１０に記載の光中継器。
［項目１２］
前記上り分岐は、前記第１光受信ポートの出力導線と前記警報信号が伝達される導線を連結したタップであることを特徴とする項目１１に記載の光中継器。
［項目１３］
前記上り分岐は、前記第１光受信ポートから出力された電気信号を前記中継制御部に伝達し、前記中継制御部から前記警報信号と結合された電気信号を受信して前記第１光送信ポートに伝達するように結線されたことを特徴とする項目１１に記載の光中継器。
［項目１４］
前記上り分岐は、前記第１光受信ポートから出力された電気信号と、感知器または発信機で起因した警報信号を同時に受信する場合、何れかの信号を遅延させることで、二つの信号を順に出力する調整回路であることを特徴とする項目１１に記載の光中継器。
［項目１５］
前記上り分岐は、前記第１光受信ポートから出力された電気信号と、感知器または発信機で起因した警報信号とを同時に受信する場合、何れかの信号を遅延させることで、二つの信号を順に出力する調整回路であることを特徴とする項目１１に記載の光中継器。
［項目１６］
前記上り分岐は、前記第１光受信ポートから出力された電気信号と、感知器または発信機で起因した警報信号とを同時に受信する場合、一つのパケットにエンコードして出力するパケットエンコーダーであることを特徴とする項目１１に記載の光中継器。
［項目１７］
前記下り信号経路は、
デイジー・チェーン連結された、前の光変換器から光学的に伝達された信号を電気的に変換した電気信号を出力する第２光受信ポートと、
前記第２光受信ポートから出力された電気信号を前記中継制御部と第２光送信ポートに提供する下り分岐と、
前記下り分岐から出力された電気信号を光学的に変換して出力する前記第２光送信ポートを含むことを特徴とする項目１０に記載の光中継器。
［項目１８］
前記下り分岐は、前記第２光受信ポートの出力導線と前記中継制御部に連結される導線を連結したタップであることを特徴とする項目１７に記載の光中継器。
［項目１９］
前記下り分岐は、前記第２光受信ポートから出力された電気信号のうち、前記防災設備の一つに伝達される制御信号を検出して前記中継制御部に出力する検出回路を含むことを特徴とする項目１７に記載の光中継器。
［項目２０］
警報信号を発する複数の感知器／発信機と、
制御信号によって動作する複数の防災設備と、
前記感知器／発信機及び防災設備に連結された複数の中継器と、
互いに光ケーブルを通じてデイジー・チェーン連結され、前記警報信号を光学的に上り伝送し、前記制御信号を光学的に下り伝送し、前記中継器に前記警報信号と制御信号を電気的に入出力することができる複数の光変換器と、
前記光変換器の一つから前記警報信号を受信し、前記制御信号を前記光変換器の前記一つに送信するＲ型／ＧＲ型受信機を含むＲ型／ＧＲ型受信機システム。
［項目２１］
前記光変換器の前記一つとは光学的に連結され、前記Ｒ型／ＧＲ型受信機とは電気的に連結される単一ポート光変換器をさらに含むことを特徴とする項目２０に記載のＲ型／ＧＲ型受信機システム。
［項目２２］
警報信号を発する複数の感知器／発信機と、
制御信号によって動作する複数の防災設備と、
前記感知器／発信機及び防災設備に連結され、互いに光ケーブルを通じてデイジー・チェーン連結されて前記警報信号を光学的に上り伝送し、前記制御信号を光学的に下り伝送し、前記感知器／発信機に前記警報信号を、前記防災設備に前記制御信号をそれぞれ電気的に入出力することができる複数の光中継器と、
前記光中継器の一つから前記警報信号を受信し、前記制御信号を前記光中継器の前記一つに送信するＲ型／ＧＲ型受信機を含むＲ型／ＧＲ型受信機システム。
［項目２３］
前記光中継器の前記一つとは光学的に連結され、前記Ｒ型／ＧＲ型受信機とは電気的に連結される単一ポート光変換器をさらに含むことを特徴とする項目２２に記載のＲ型／ＧＲ型受信機システム。
［項目２４］
複数の感知器／発信機または防災設備とＲ型／ＧＲ型受信機の間を光ケーブルを利用してデイジー・チェーン連結する３ウェイ光中継器であって、
最終的に前記Ｒ型／ＧＲ型受信機に伝達されなければならない第１上り信号を光学的に受信し、前記第１上り信号を電気的に変換して前記感知器／発信機のうち少なくとも一つで起因した警報信号と電気的に結合した第２上り信号を光学的に出力する上り信号経路と、
前記Ｒ型／ＧＲ型受信機で起因して最終的に前記防災設備のうち少なくとも一つに伝達されなければならない第１下り信号を光学的に受信し、前記第１下り信号を電気的に変換して前記防災設備のうち少なくとも一つに対する制御信号を抽出し、前記抽出後、前記第１下り信号を光学的に出力する下り信号経路と、
前記感知器／発信機で起因して光学的に提供される警報信号を電気的に変換して前記上り信号経路に提供し、前記下り信号経路から抽出された制御信号の提供を受け、光学的に変換して出力する光入出力部を含む３ウェイ光中継器。
［項目２５］
前記上り信号経路は、
デイジー・チェーン連結された、後の３ウェイ光中継器から前記第１上り信号を光学的に受信して電気的に変換した第１上り電気信号を出力する第１光受信ポートと、
前記第１光受信ポートから出力された第１上り電気信号と感知器または発信機で起因した警報信号を電気的に結合した第２上り電気信号を出力する上り分岐と、
前記上り分岐から出力された第２上り電気信号を光学的に変換した前記第２上り信号を出力する第１光送信ポートを含むことを特徴とする項目２４に記載の３ウェイ光中継器。
［項目２６］
前記上り分岐は、前記第１光受信ポートの出力導線と前記警報信号が伝達される導線を連結したタップであることを特徴とする項目２５に記載の３ウェイ光中継器。
［項目２７］
前記上り分岐は、前記第１光受信ポートから出力された第１上り電気信号と、感知器または発信機で起因した警報信号を同時に受信する場合、何れかの信号を遅延させることで、二つの信号を順に出力する送信調整回路であることを特徴とする項目２５に記載の３ウェイ光中継器。
［項目２８］
前記上り分岐は、前記第１光受信ポートから出力された第１上り電気信号と、感知器または発信機で起因した警報信号を同時に受信する場合、一つのパケットにエンコードして出力するパケットエンコーダーであることを特徴とする項目２５に記載の３ウェイ光中継器。
［項目２９］
前記下り信号経路は、
デイジー・チェーン連結された、前の光変換器から光学的に伝達された信号を電気的に変換した電気信号を出力する第２光受信ポートと、
前記第２光受信ポートから出力された電気信号を前記入出力ポートと第２光送信ポートに提供する下り分岐と、
前記下り分岐から出力された電気信号を光学的に変換して出力する前記第２光送信ポートを含むことを特徴とする項目２４に記載の３ウェイ光中継器。
［項目３０］
前記下り分岐は、前記第２光受信ポートの出力導線と前記入出力ポートに連結される導線を連結したタップであることを特徴とする項目２９に記載の３ウェイ光中継器。
［項目３１］
前記下り分岐は、前記第２光受信ポートから出力された電気信号のうち、前記防災設備の一つに伝達される制御信号を検出して前記光入出力部に出力する検出回路を含むことを特徴とする項目２９に記載の３ウェイ光中継器。
［項目３２］
複数の感知器／発信機または防災設備とＲ型／ＧＲ型受信機の間を光ケーブルを利用してデイジー・チェーン連結する３ウェイ光中継器であって、
デイジー・チェーン連結された第１の３ウェイ光中継器から第１信号を光学的に受信する第１光受信ポートと、
デイジー・チェーン連結された第２の３ウェイ光中継器に第２信号を光学的に送信する第１光送信ポートと、
前記第２の３ウェイ光中継器から第３信号を光学的に受信する第２光受信ポートと、
前記第１の３ウェイ光中継器に第４信号を光学的に送信する第２光送信ポートと、
最終的に前記Ｒ型／ＧＲ型受信機に伝達されなければならない警報信号を光学的に受信する第３光受信ポートと、
最終的に前記防災設備の何れか一つに伝達されなければならない制御信号を光学的に出力する第３光送信ポートと、
前記第１光受信ポート及び第３光受信ポートから光学的に受信され電気的に変換された第１信号及び警報信号の提供を受け、前記第２信号を生成して第１光送信ポートに電気的に伝達し、前記第２光受信ポートから光学的に受信され電気的に変換された前記第３信号の提供を受け、前記制御信号を抽出して前記第３光送信ポートに伝達し、前記第３信号に基づいて前記第１の３ウェイ光中継器に伝達する第４信号を生成し前記第２光送信ポートに伝達する中継部を含む３ウェイ光中継器。
［項目３３］
警報信号を発する複数の感知器／発信機と、
制御信号によって動作する複数の防災設備と、
光ケーブルを利用して互いにデイジー・チェーン連結され、前記警報信号を光学的に上り伝送し、前記制御信号を光学的に下り伝送することができる複数の３ウェイ光中継器と、
前記それぞれの３ウェイ光中継器に連結され、前記感知器／発信機または前記防災設備の間に光ケーブルを利用して互いにデイジー・チェーン連結され、前記連結された３ウェイ光中継器に前記警報信号を光学的に伝送し、前記制御信号を前記連結された３ウェイ光中継器から光学的に受信する複数の２ウェイ光中継器と、
前記複数の３ウェイ光中継器の一つから前記警報信号を電気的または光学的に受信し、前記３ウェイ光中継器の前記一つに前記制御信号を電気的または光学的に送信するＲ型／ＧＲ型受信機を含むＲ型／ＧＲ型受信機システム。
［項目３４］
前記３ウェイ光中継器の前記一つとは光学的に連結され、前記Ｒ型／ＧＲ型受信機とは電気的に連結される単一ポート光変換器をさらに含むことを特徴とする項目３３に記載のＲ型／ＧＲ型受信機システム。
［項目３５］
複数の感知器／発信機または防災設備とＲ型／ＧＲ型受信機の間を光ケーブルを利用してデイジー・チェーン連結する光変換器であって、
デイジー・チェーン連結された、後の光変換器から伝達された上り光信号を受信して上り電気信号に変換し、下り電気信号の伝達を受けて下り光信号に変換し前記後の光変換器に出力する第１光送受信モジュールと、
デイジー・チェーン連結された、前の光変換器から伝達された下り光信号を受信して前記下り電気信号に変換し、上り結合電気信号を受信して上り結合光信号に変換し、前記前の光変換器に出力する第２光送受信モジュールと、
前記第１光送受信モジュールから出力された上り電気信号と、感知器または発信機で起因した警報信号とを電気的に結合した前記上り結合電気信号を出力する上り分岐と、
前記第２光送受信モジュールから出力された下り電気信号を入出力ポートと前記第１光送受信モジュールに提供する下り分岐と、
前記感知器または発信機から受信した前記警報信号を前記上り分岐に提供し、前記下り電気信号の提供を受けて外部に出力する入出力ポートを含む光変換器。
［項目３６］
前記上り分岐は、前記第１光送受信モジュールの出力導線と前記警報信号が伝達される導線を連結したタップ（ｔａｐ）であることを特徴とする項目３５に記載の光変換器。
［項目３７］
前記上り分岐は、前記第１光送受信モジュールから出力された前記上り電気信号と、前記感知器または発信機で起因した警報信号を同時に受信する場合、何れかの信号を遅延させることで、二つの信号を順に出力する調整回路であることを特徴とする項目３５に記載の光変換器。
［項目３８］
前記上り分岐は、前記第１光送受信モジュールから出力された前記上り電気信号と、前記感知器または発信機で起因した警報信号を同時に受信する場合、一つのパケットにエンコードして前記上り結合電気信号に出力するパケットエンコーダーであることを特徴とする項目３５に記載の光変換器。
［項目３９］
前記入出力ポートは、
前記感知器または発信機からＲＳ４８５またはＲＳ４２２規格の差動信号、またはＤＣ２４Ｖの直流信号を受信し、シングルエンド警報信号に変換して前記上り分岐に提供する入力ポートと、
前記下り電気信号をＲＳ４８５またはＲＳ４２２規格の差動信号、またはＤＣ２４Ｖの直流信号に変換して外部に出力する出力ポートを含むことを特徴とする項目３５に記載の光変換器。
［項目４０］
前記下り分岐は、前記第２光送受信モジュールの出力導線と前記入出力ポートに前記下り電気信号を伝達する導線を連結したタップであることを特徴とする項目３５に記載の光変換器。
［項目４１］
前記下り分岐は、前記第２光送受信モジュールから出力された前記下り電気信号のうち、前記防災設備の一つに伝達される制御信号を検出して前記入出力ポートに出力する検出回路を含むことを特徴とする項目３５に記載の光変換器。
［項目４２］
複数の感知器／発信機または防災設備とＲ型／ＧＲ型受信機の間を光ケーブルを利用してデイジー・チェーン連結する光中継器であって、
デイジー・チェーン連結された、後の光中継器から伝達された上り光信号を受信して上り電気信号に変換し、下り電気信号の伝達を受けて下り光信号に変換し、前記後の光変換器に出力する第１光送受信モジュールと、
デイジー・チェーン連結された、前の光中継器から伝達された下り光信号を受信して前記下り電気信号に変換し、上り結合電気信号を受信して上り結合光信号に変換し、前記前の光変換器に出力する第２光送受信モジュールと、
前記第１光送受信モジュールから出力された上り電気信号と、感知器または発信機で起因した警報信号とを電気的に結合した前記上り結合電気信号を出力する上り分岐と、
前記第２光送受信モジュールから出力された下り電気信号を中継制御部と前記第１光送受信モジュールに提供する下り分岐と、
受信された前記警報信号を前記上り分岐に提供し、前記下り電気信号から制御信号を抽出して出力する中継制御部と、
前記感知器または発信機から前記警報信号を受信して前記中継制御部に提供し、前記中継制御部から前記制御信号の提供を受けて外部に出力する前記入出力ポートを含む光中継器。
［項目４３］
前記上り分岐は、前記第１光送受信モジュールの出力導線と前記中継制御部から前記警報信号が伝達される導線を連結したタップであることを特徴とする項目４２に記載の光中継器。
［項目４４］
前記上り分岐は、前記第１光送受信モジュールから出力された前記上り電気信号を前記中継制御部に伝達し、
前記中継制御部から前記上り結合電気信号を受信して前記第２光送受信モジュールに伝達し、前記中継制御部は前記警報信号と前記上り電気信号を結合し、前記上り結合結合信号を生成して出力するように構成されたことを特徴とする項目４２に記載の光中継器。
［項目４５］
前記上り分岐は、前記第１光送受信モジュールから出力された前記上り電気信号と、前記感知器または発信機で起因した前記警報信号を同時に受信する場合、何れかの信号を遅延させることで、二つの信号を順に出力する調整回路であることを特徴とする項目４２に記載の光中継器。
［項目４６］
前記上り分岐は、前記第１光受信モジュールから出力された電気信号と、感知器または発信機で起因した警報信号を同時に受信する場合、一つのパケットにエンコードして出力するパケットエンコーダーであることを特徴とする項目４２に記載の光中継器。
［項目４７］
前記下り分岐は、前記第２光送受信モジュールの出力導線と前記中継制御部に連結される導線を連結したタップであることを特徴とする項目４２に記載の光中継器。
［項目４８］
前記入出力ポートは、
前記感知器または発信機からＲＳ４８５またはＲＳ４２２規格の差動信号、またはＤＣ２４Ｖの直流信号を受信し、シングルエンド警報信号に変換して前記中継制御部に提供する入力ポートと、
前記中継制御部から出力された前記制御信号をＲＳ４８５またはＲＳ４２２規格の差動信号、またはＤＣ２４Ｖの直流信号に変換して外部に出力する出力ポートを含むことを特徴とする項目４２に記載の光中継器。
［項目４９］
複数の感知器／発信機または防災設備とＲ型／ＧＲ型受信機の間を光ケーブルを利用してデイジー・チェーン連結する光中継器であって、
デイジー・チェーン連結された、後の光中継器から伝達された上り光信号を受信して上り電気信号に変換し、下り電気信号の伝達を受けて下り光信号に変換し、前記後の光変換器に出力する第１光送受信モジュールと、
デイジー・チェーン連結された、前の光中継器から伝達された下り光信号を受信して前記下り電気信号に変換し、上り結合電気信号を受信して上り結合光信号に変換し、前記前の光変換器に出力する第２光送受信モジュールと、
前記第１光送受信モジュールから出力された上り電気信号と、感知器または発信機で起因した警報信号とを電気的に結合した前記上り結合電気信号を出力する上り分岐と、
前記第２光送受信モジュールから出力された下り電気信号を中継制御部と前記第１光送受信モジュールに提供する下り分岐と、
受信した前記警報信号を前記上り分岐に提供し、前記下り電気信号から制御信号を抽出して出力する中継制御部と、
前記感知器または発信機から起因した前記警報信号を光信号の形態で受信し、電気信号の形態に変換して前記中継制御部に提供し、前記中継制御部から前記制御信号の提供を受けて外部に光信号の形態で出力する前記第３光送受信モジュールを含む光中継器。
［項目５０］
前記上り分岐は、前記第１光送受信モジュールの出力導線と前記中継制御部から前記警報信号が伝達される導線を連結したタップであることを特徴とする項目４９に記載の光中継器。
［項目５１］
前記上り分岐は、前記第１光送受信モジュールから出力された前記上り電気信号を前記中継制御部に伝達し、前記中継制御部から前記上り結合電気信号を受信して前記第２光送受信モジュールに伝達し、
前記中継制御部は前記警報信号と前記上り電気信号を結合し、前記上り結合結合信号を生成して出力するように構成されたことを特徴とする項目４９に記載の光中継器。
［項目５２］
前記上り分岐は、前記第１光送受信モジュールから出力された前記上り電気信号と、前記感知器または発信機で起因した前記警報信号を同時に受信する場合、何れかの信号を遅延させることで、二つの信号を順に出力する調整回路であることを特徴とする項目４９に記載の光中継器。
［項目５３］
前記上り分岐は、前記第１光受信モジュールから出力された電気信号と感知器または発信機で起因した警報信号を同時に受信する場合、一つのパケットにエンコードして出力するパケットエンコーダーであることを特徴とする項目４９に記載の光中継器。
［項目５４］
前記下り分岐は、前記第２光送受信モジュールの出力導線と前記中継制御部に連結される導線を連結したタップであることを特徴とする項目４９に記載の光中継器。
【図１】
0005540422.tif 000002
【図２】
0005540422.tif 000003
【図３】
0005540422.tif 000004
【図４】
0005540422.tif 000005
【図５】
0005540422.tif 000006
【図６】
0005540422.tif 000007
【図７】
0005540422.tif 000008
【図８】
0005540422.tif 000009
【図９】
0005540422.tif 000010
【図１０】
0005540422.tif 000011
【図１１】
0005540422.tif 000012
【図１２】
0005540422.tif 000013
【図１３】
0005540422.tif 000014
【図１４】
0005540422.tif 000015
【図１５】
0005540422.tif 000016
【図１６】
0005540422.tif 000017
【図１７】
0005540422.tif 000018
【図１８】
0005540422.tif 000019
【図１９】
0005540422.tif 000020
【図２０】
0005540422.tif 000021
【図２１】
0005540422.tif 000022
【図２２】
0005540422.tif 000023
【図２３】
0005540422.tif 000024
【図２４】
0005540422.tif 000025
【図２５】
0005540422.tif 000026
【図２６】
0005540422.tif 000027
【図２７】
0005540422.tif 000028
【図２８】
0005540422.tif 000029
【図２９】
0005540422.tif 000030